(57)【要約】      （修正有）【課題】鉄筋コンクリート外断熱建物に対し、鉄筋コンクリートバルコニー及び鉄筋コンクリート袖壁を、断熱層を介してコンクリート外壁と熱遮断して、熱橋作用を抑制し、且つ、安全性を確保して構築可能とする。【解決手段】鉄筋コンクリート建物のコンクリート外壁Ｗに嵌合止着した不燃支持ブロック４の不燃断熱材を貫通する連結筋１，６の一半をコンクリート躯体ＣＦ内に、他半をバルコニー床スラブ内及び袖壁５内に定着して、突出支持し、且つ、バルコニー床スラブの側端を袖壁５に剛接合し、袖壁５の下端は基礎Ｆで支持し、コンクリート外壁Ｗからのバルコニー床スラブ及び袖壁５の突出付設物を、角筒形状の剛構造で、且つ、コンクリート外壁Ｗから、複合パネル２の断熱層２Ｂによる熱遮断で突出付設する。【選択図】図１
2008291501.tif 000002
【特許請求の範囲】
【請求項１】
鉄筋コンクリート造外断熱建物のコンクリート外壁（Ｗ）から、鉄筋コンクリートのバルコニー床スラブ（ＳＢ）、及び鉄筋コンクリートの袖壁（５）を突出付設した外壁構造であって、コンクリート外壁（Ｗ）は、通気用条溝（Ｇ）と肉厚部（２Ｃ）とを交互に縦設した成形セメント板（２Ａ）の層着面（２Ｓ）に断熱層（２Ｂ）を層着した複合パネル（２）によって外断熱被覆し、バルコニー床スラブ（ＳＢ）は、基端（Ｂｂ）全面を複合パネル（２）で外壁表面（Ｗｆ）と熱的に遮断して、複合パネル（２）に嵌合した不燃支持ブロック（４）の不燃断熱材（４Ｂ）を貫通する連結筋（１，６）の、一方の突出部（ＡＰ）をコンクリート躯体（ＣＦ）内に、他方の突出部（ＢＰ）をバルコニー床スラブ（ＳＢ）内に固定して、コンクリート躯体（ＣＦ）に対して、連結筋（１，６）のみで片持ち支持形態とすると共に、側端（Ｂｓ）を袖壁（５）で支承し、袖壁（５）は、基端（５ｂ）全面を複合パネル（２）で外壁表面（Ｗｆ）と熱的に遮断して、複合パネル（２）に嵌合した不燃支持ブロック（４０）の不燃断熱材（４０Ｂ）を貫通する連結筋（１，６）の、一方の突出部（ＡＰ）をコンクリート躯体（ＣＦ）内に、他方の突出部（ＢＰ）を袖壁（５）内に固定して、コンクリート躯体（ＣＦ）に対して、連結筋（１，６）のみで片持ち支持形態とすると共に、下端を基礎（Ｆ）で支承し、袖壁（５）の垂直応力を基礎（Ｆ）に伝達負荷させた、鉄筋コンクリート造外断熱建物の外壁構造。
【請求項２】
コンクリート躯体（ＣＦ）から水平に突出する庇スラブ（ＲＢ）の基端（Ｂｂ）は複合パネル（２）の断熱層（２Ｂ）で、屋上パラペット（Ｐ´）の基端（Ｐ´ｂ）は断熱層（３Ｂ´）で、コンクリート躯体（ＣＦ）と熱的に遮断し、連結筋（１，６）のみで、庇スラブ（ＲＢ）及び屋上パラペット（Ｐ´）をコンクリート躯体（ＣＦ）に対して片持ち支持形態で突出付設した、請求項１の外壁構造。
【請求項３】
複合パネル（２）は、断熱層（２Ｂ）が、成形セメント板（２Ａ）に対して、上端では大段差（ｄ４）突出し、下端では小段差（ｄ４´）入り込んで、上下相欠け接続すると共に、上下接続部の成形セメント板（２Ａ）の板状部（Ｐｄ）間をゴム板（ＰＲ）で閉止し、且つ、不燃断熱材（４Ｂ，４０Ｂ）が、条溝（Ｇ）の通気機能を保証する形態で複合パネル（２）内に嵌着している、請求項１又は２の外壁構造。
【請求項４】
不燃支持ブロック（４）の不燃断熱材（４Ｂ）、及び不燃支持ブロック（４０）の不燃断熱材（４０Ｂ）は、共に、複合パネル（２）の嵌着用切欠（Ｈ１，Ｈ４）内に、空密的に嵌合保持した、請求項１、又は２、又は３の外壁構造。
【請求項５】
バルコニー床スラブ（ＳＢ）を支持する不燃支持ブロック（４）用の嵌着用切欠（Ｈ１）、及び袖壁（５）を支持する不燃支持ブロック（４０）用の嵌着用切欠（Ｈ４）は、成形セメント板（２Ａ）の肉厚部（２Ｃ）位置に配置し、嵌着用切欠（Ｈ１，Ｈ４）に嵌着した不燃断熱材（４Ｂ，４０Ｂ）の両側面（４Ｓ，４０Ｓ）の通気用凹溝（Ｇ４）が、成形セメント板（２Ａ）の条溝（Ｇ）の開放側面と対向している、請求項１乃至４のいずれか１項の外壁構造。
【請求項６】
不燃支持ブロック（４）は、Ｚ上端筋（１Ｕ）とＺ下端筋（１Ｄ）とを、中央の水平上辺部（１Ｕ´）、両側の傾斜降下する中間傾斜部（１Ｓ）及び両側の水平下辺部（１Ｄ´）から成る台形Ｚトラス筋（１Ｍ）で、上下方向に応力中心距離（Ｌ１５）を保って一体化固着したＺ筋（１）を、不燃断熱材（４Ｂ）で空密的に固着保持している、請求項１乃至５のいずれか１項の外壁構造。。
【請求項７】
連結筋（１）、及び／又は、連結筋（６）は、コンクリート躯体（ＣＦ）内固着用の突出部（ＡＰ）が屈曲して、コンクリート外壁（Ｗ）内で固定している、請求項１乃至６のいずれか１項の外壁構造。
【請求項８】
発泡プラスチック系断熱層（２Ｂ）に、通気用条溝（Ｇ）群を備えた成形セメント板（２Ａ）を層着一体化した通気性の複合パネル（２）を用いて、一般壁部にあっては、該複合パネル（２）で外側壁型枠を形成し、バルコニー床スラブ（ＳＢ）突出壁部にあっては、該複合パネル（２）に、上端から、バルコニー床スラブ（ＳＢ）の基端と干渉する高さ（４ｈ）に亘る嵌着用切欠（Ｈ１）を形成して外側壁型枠とし、複合パネル（２）の嵌着用切欠（Ｈ１）には、Ｚ上端筋（１Ｕ）及びＺ下端筋（１Ｄ）を、台形Ｚトラス筋（１Ｍ）で上下に中心間距離（Ｌ１５）を保って一体化したＺ筋（１）を、不燃断熱材（４Ｂ）で貫通形態に保持した不燃支持ブロック（４）を嵌合止着して、Ｚ筋（１）の、一方の突出部（ＡＰ）をコンクリート躯体側型枠内に、他方の突出部（ＢＰ）をバルコニー床スラブ型枠内に配置して慣用の型枠を形成し、袖壁（５）の突出壁部にあっては、嵌着用切欠（Ｈ４）を配置した複合パネル（２）を外側壁型枠とし、嵌着用切欠（Ｈ４）には、不燃断熱材（４０Ｂ）に単本連結筋（６）を貫通保持した不燃支持ブロック（４０）を嵌合止着して、単本連結筋（６）の、一方の突出部（ＡＰ）をコンクリート躯体型枠内に、他方の突出部（ＢＰ）を袖壁型枠内に配置して慣用の袖壁型枠を形成すると共に、バルコニー床スラブ（ＳＢ）型枠内の長手方向の上端筋（９Ａ）を袖壁型枠内に定着し、次いで、各型枠内にコンクリート打設して、コンクリート外壁（Ｗ）から、バルコニー床スラブ（ＳＢ）及び袖壁（５）を突出させる、外壁の構築方法。
【請求項９】
嵌着用切欠（Ｈ１，Ｈ４）は、成形セメント板（２Ａ）の肉厚部（２Ｃ）の位置で複合パネル（２）に形成し、不燃支持ブロック（４，４０）の不燃断熱材（４Ｂ，４０Ｂ）を、共に、複合パネル厚（Ｔ１）と等厚で準備し、不燃断熱材（４Ｂ，４０Ｂ）には、成形セメント板（２Ａ）の条溝（Ｇ）対向側面に凹溝（Ｇ４）を形成して、不燃支持ブロック（４，４０）を複合パネル（２）に整合配置する、請求項８の外壁の構築方法。
【請求項１０】
不燃支持ブロック（４）及び不燃支持ブロック（４０）は、それぞれ、不燃断熱材（４Ｂ，４０Ｂ）の外面（４Ｓ，４０Ｓ，４０Ｕ）に隙間追従シート（１２Ａ）を貼着して、嵌着用切欠（Ｈ１，Ｈ４）に、空密的に嵌合止着する、請求項８又は９の外壁の構築方法。
【請求項１１】
複合パネル（２）の上下接続は、上下通気溝（Ｇ７）を備えた垂直片（７Ｗ）と、中間の左右水平当接片（７Ｆ）とを備えた十字ジョイント（７）を用いて、垂直片（７Ｗ）を上下の条溝（Ｇ）に嵌入し、水平当接片（７Ｆ）を上下パネルのセメント板肉厚部（２Ｃ）で挟着し、且つ、成形セメント板（２Ａ）の板状部（Ｐｄ）上には、水平当接片（７Ｆ）と等厚のゴム板（ＰＲ）を挟着して実施する、請求項８、又は９の外壁の構築方法。
【発明の詳細な説明】
【技術分野】
【０００１】
本発明は、鉄筋コンクリート造外断熱建物の外壁から、バルコニー、庇、外廊下など（以下、本明細書中ではバルコニーと称する）を、コンクリート外壁に片持ち形式で突設した水平突出物と、下端を基礎に接合して、垂直応力を基礎に負荷させる、バルコニー袖壁、ポーチ袖壁、外壁から突出する化粧壁など（以下、本明細書中では袖壁と称する）の垂直突出物とを、一体として、コンクリート建物躯体から熱的に遮断して突出構築した外壁構造、及びその構築方法に関するものであり、建築の技術分野に属するものである。
【背景技術】
【０００２】
鉄筋コンクリート造の外断熱建物は、コンクリート躯体の外面を断熱層で被覆するため、太陽日射のコンクリート躯体への熱応力が微小となって、コンクリート躯体のひび割れが抑制出来ること、コンクリート躯体が空気に接触しないために、コンクリートの中性化が抑制出来、鉄筋棒鋼の腐蝕が抑制出来て建物の耐久性が向上すること、更には、建物内の温度環境が好適に維持出来ると共に、結露が少なくて、カビ、ダニの発生が抑制出来、健康面でも優れた住環境が提供出来るため、高性能の耐久性建物として評価されている。
【０００３】
しかし、建物外壁より、鉄筋コンクリートバルコニー、及び鉄筋コンクリート袖壁を突出形成する外断熱建物にあっては、鉄筋コンクリートバルコニー床スラブ及び鉄筋コンクリート袖壁が、コンクリートの建物躯体内部への熱橋となるため、外断熱鉄筋コンクリート建物にあって、鉄筋コンクリートバルコニーの床スラブや、鉄筋コンクリート袖壁からのコンクリート躯体への熱橋作用の抑制は、強く望まれており、該問題の解決手段として、既に、バルコニー床スラブの熱橋低減手段としては、図１１に示す従来例１が、バルコニー床スラブとコンクリート袖壁の熱橋低減手段としては、図１２（Ａ），（Ｂ）に示す従来例２、及び図１２（Ｃ），（Ｄ）に示す従来例３の工法が提案されている。
【０００４】
図１１に示す従来例１は、特許文献１として挙げられたものであって、図１１（Ａ）はバルコニー側面図であり、図１１（Ｂ）は使用する支持鉄筋ユニットの側面図、図１１（Ｃ）は鉄筋ユニットの平面図である。
従来例１（図１１）のバルコニー床スラブに於ける熱橋抑制手段は、図１１（Ｂ），（Ｃ）に示す如く、断熱材上部に多数の長尺連結鉄筋群を串刺し状態で並列配置すると共に、断熱材下部には圧縮用鉄筋群を配置し、各圧縮用鉄筋の両端の支圧板を断熱材から突出させると共に、各ラチス筋を圧縮用鉄筋の近傍に配置して、ラチス筋の両側延長部を断熱材上部の長尺連結鉄筋間に並列延出した熱橋低減ユニットを、図１１（Ａ）に示す如く、バルコニー用型枠と住戸躯体用型枠とに差渡し状に配置して、コンクリート打設によりコンクリートバルコニーを、熱橋低減用鉄筋ユニットで、住戸躯体から突設支持するものである。
【０００５】
また、図１２は、バルコニー床スラブ及びコンクリート袖壁からの熱橋抑制手段であり、非特許文献１として挙げられたものであって、図１２（Ａ）は、従来例２の横断面図、図１２（Ｂ）は従来例２の縦断面図であり、図１２（Ｃ）は、従来例３の横断面図であり、図１２（Ｄ）は従来例３の縦断面図である。
即ち、図１２（Ａ），（Ｂ）の従来例２にあっては、住居部から突出したバルコニー床スラブ及びコンクリート袖壁の全外周を、コンクリート外壁同様に、外断熱被覆用の複合パネル、及び断熱材で被覆するものであり、図１２（Ｃ），（Ｄ）の従来例３にあっては、コンクリート外壁は、複合パネルで外断熱被覆するが、コンクリート外壁から突出したバルコニー床スラブ及び袖壁は、外断熱被覆することなく、コンクリート躯体内側、即ち、外壁の内側の、バルコニー床スラブ及びコンクリート袖壁からの熱橋作用を受ける部位に、断熱材を貼着して、断熱機能を補強するものである。
【特許文献１】特開２００５−１８８０３６号公報
【非特許文献１】北海道外断熱協議会発行「２００３年版、ＲＣ造外断熱工法ハンドブック、第４０〜４７頁：熱損失係数の計算」の項
【発明の開示】
【発明が解決しようとする課題】
【０００６】
従来例１の鉄筋コンクリートバルコニーの構築にあっては、断熱材自体に多くの連続鉄筋、圧縮鉄筋を並列配置しているため、熱橋低減用鉄筋ユニット自体が嵩張る複雑な形状であって、鉄筋ユニットの効率的な運搬及び保管が出来ない。
また、バルコニー等の跳ね出し部は、大きさ、及び形状も様々であって、対応する鉄筋ユニットの準備が複雑、且つ困難である。
そして、型枠組み時には、住戸躯体側に配筋された鉄筋が邪魔になって、熱橋低減用鉄筋ユニットの配置、及び配筋固定が困難であり、バルコニー型枠及び住戸躯体型枠内での配筋組立て作業が困難、且つ煩雑な作業となる。
また、バルコニー床スラブと住戸躯体との境界面に熱橋低減用鉄筋ユニットを配置し、コンクリート躯体構築後に、コンクリート外壁に断熱材を張着する後貼り工法の外断熱建物となるため、施工性が悪く、汎用性が無い。
しかも、該従来例１の熱橋低減技術は、コンクリート袖壁の熱橋低減への適用は不可能である。
【０００７】
また、従来例２の、鉄筋コンクリートの、バルコニー床スラブ及び袖壁の構築手段にあっては、図１２（Ａ），（Ｂ）に示す如く、バルコニー床スラブの上下両面、及び先端面、袖壁の両側面、及び先端面、即ち、バルコニー床スラブ及び袖壁の全外周面、を断熱材で被覆するため、バルコニー床スラブ及び袖壁は、外壁同様の外断熱構造とはなるが、バルコニー床スラブ及び袖壁の厚さが、被覆断熱材によって増大する欠陥があり、しかも、複合パネルの、バルコニー床スラブ及び袖壁の形態に対応した貼着、特に、先端面の貼着、及びバルコニー床スラブ上面への断熱材貼着、の作業性が悪く、従来例２の構築手段は、複合パネル及び断熱材の貼着施工によってコスト高となる。
【０００８】
また、従来例３の、鉄筋コンクリートのバルコニー床スラブ及び袖壁の構築手段にあっては、図１２（Ｃ），（Ｄ）に示す如く、バルコニー床スラブ及び袖壁は、複合パネルで被覆しないために、従来例２の如き、厚さの増大の問題は生じないが、バルコニー床スラブ及び袖壁の熱橋を抑制するために、コンクリート躯体内面に断熱補強材を貼着することとなり、コンクリート躯体内での断熱補強では、熱橋の低減が７５％程度しか期待出来ず、従来例２（図１２（Ａ），（Ｂ））より熱橋低減率が低い。
【０００９】
しかも、従来例３（図１２（Ｃ），（Ｄ））にあっては、コンクリート躯体内面に、断熱補強材による段差が生じ、内装仕上げに際しては、断熱補強材の段差を解消するための、内装材貼着用の下地の施工も必要となり、内装仕上げの面での施工数、及びコストが増加する。
本発明は、これら従来例１，２，３の問題点を、一挙に解決、又は改善するものであり、鉄筋コンクリートのバルコニー床スラブ、及び鉄筋コンクリート袖壁を、共に、コンクリート躯体に、熱橋作用を抑制して突設するものであって、外断熱鉄筋コンクリート建物から突出するバルコニー及び袖壁のコンクリートを、コンクリート建物から熱的に遮断して合理的に構築する技術を提供するものである。
【課題を解決するための手段】
【００１０】
本願の鉄筋コンクリート造外断熱建物の外壁構造の発明は、例えば図１に示す如く、鉄筋コンクリート造外断熱建物のコンクリート外壁Ｗから、鉄筋コンクリートのバルコニー床スラブＳＢ、及び鉄筋コンクリートの袖壁５を突出付設した外壁構造であって、コンクリート外壁Ｗは、通気用条溝Ｇと肉厚部２Ｃとを交互に縦設した成形セメント板２Ａの層着面２Ｓに断熱層２Ｂを層着した複合パネル２によって外断熱被覆し、バルコニー床スラブＳＢは、基端Ｂｂ全面を複合パネル２で外壁表面Ｗｆと熱的に遮断して、複合パネル２に嵌合した不燃支持ブロック４の不燃断熱材４Ｂを貫通する連結筋１，６の、一方の突出部ＡＰをコンクリート躯体ＣＦ内に、他方の突出部ＢＰをバルコニー床スラブＳＢ内に固定して、コンクリート躯体ＣＦに対して、連結筋１，６のみで片持ち支持形態とすると共に、側端Ｂｓを袖壁５で支承し、袖壁５は、基端５ｂ全面を複合パネル２で外壁表面Ｗｆと熱的に遮断して、複合パネル２に嵌合した不燃支持ブロック４０の不燃断熱材４０Ｂを貫通する連結筋１，６の、一方の突出部ＡＰをコンクリート躯体ＣＦ内に、他方の突出部ＢＰを袖壁５内に固定して、コンクリート躯体ＣＦに対して、連結筋１，６のみで片持ち支持形態とすると共に、下端を基礎Ｆで支承し、袖壁５の垂直応力を基礎Ｆに伝達負荷させたものである。
【００１１】
この場合、複合パネル２の断熱層２Ｂは、発泡プラスチック系断熱層が好適であり、典型的には、ＪＩＳＡ９５１１の発泡断熱材である。
また、複合パネル２は、典型的には、図６に示す如く、厚さＴ３が７５mm、幅ＢＷが５００mm、高さＢｈ（階高１ｈ）が２７００mmの、ＪＩＳＡ９５１１の押出法ポリスチレンフォーム板の断熱層２Ｂに、厚さＴ２が２５mm、幅ＡＷが４９０mm、高さＡｈが２７００−３mmで、少なくとも両端の断面台形条溝Ｇを含む深さＧｄが１３mm、幅ａ１が３０mmの条溝Ｇ群を層着面２Ｓに散在縦設したＤＥＣＦパネル（三菱マテリアル建材（株）、商品名）を、断熱層２Ｂが、上端ではｄ４（２０mm）突出し、下端ではｄ４´（１７mm）入り込み、幅方向には、図６（Ｃ）の如く、断熱層２Ｂが、左側２Ｌでｄ３（２０mm）突出し、右側２Ｒでｄ２（１０mm）入り込んだ形態に層着一体化したものである。
そして、複合パネル２は、一般壁用にあっては、無加工で使用し、バルコニー支持部にあっては、複合パネル２の上端のみを、不燃支持ブロック４が嵌着出来るように、嵌着用切欠Ｈ１を切開加工し、袖壁支持部にあっては、不燃支持ブロック４０が嵌着出来るように、嵌着用切欠Ｈ４を、適所に切開加工して用いる。
【００１２】
また、不燃支持ブロック４，４０の不燃断熱材４Ｂ，４０Ｂは、それぞれ、連結筋１，６が保持出来て、複合パネル２の嵌着用切欠Ｈ１，Ｈ４内に嵌着すれば、断熱機能面では、断熱層２Ｂと一体化して同効機能を奏し、且つ、連結筋１，６に耐火機能を付与すれば良く、炭酸カルシウム系発泡板のロックセルボード（フジ化成工業（株）、商品名）、又はロックボード（日本紡績（株）、商品名）の不燃断熱材が採用可能である。
この場合、炭酸カルシウム系発泡板（熱伝導率：０．０３２kcal／ｍｈ℃、透湿抵抗：２６．３ｍ２ｈmmＨｇ／ｇ）は、断熱層２Ｂ内に不燃断熱材４Ｂ，４０Ｂとして嵌め込まれると、断熱層２Ｂと近似の物性を発揮する。
【００１３】
また、連結筋１，６は、被支持体側、即ち、バルコニーＢ又は袖壁５側から支持体側、即ち、コンクリート躯体ＣＦ側に亘って延出し、且つ、被支持体を片持ち支持する支持鉄棒であれば良く、図４（Ｂ）に示すＺ筋１の形態でも、図５（Ｂ）に示す単本形態の連結筋６でも良いが、片持ち支持形態で水平突出するバルコニーＢは、単本形態の連結筋６で支承すれば、連結筋６の配置本数が多くなるため、また袖壁５は、基礎Ｆで支持されて連結筋１，６の負荷が軽減されるため、典型的には、バルコニー用は、図４（Ｂ）に示す、３本の鉄筋を一体化したトラス形態の、支持力の強大なＺ筋１であり、袖壁用は、図５（Ｂ）に示す、単本形態の連結筋６である。
【００１４】
そして、バルコニー床スラブＳＢ内への連結筋１，６の配置間隔、筋径、配置本数も、袖壁５内への連結筋１，６の配置間隔、筋径、配置本数も、構造計算を基に適宜決定すれば良いが、型枠組みの配筋作業性の観点から、バルコニー床スラブＳＢに対しては、少数のＺ筋１を大間隔で、袖壁に対しては、少数の連結筋６又はＺ筋１を大間隔で配置するのが好ましい。
また、袖壁５は、上下端が屋上の庇スラブＲＢ、基礎梁ＦＧ及び基礎Ｆと、左右端がバルコニー床スラブＳＢの側端と剛接合となるので、風圧力による変位は無いため、連結筋１，６は、袖壁５が地震力によって前後に移動するのを阻止し、バルコニー床スラブＳＢ内の連結筋１，６群の応力負担を軽減すれば良い。
【００１５】
また、バルコニー床スラブＳＢは、コンクリート建物躯体ＣＦに対しては、連結筋１，６のみで支承するので、構造的には、バルコニー床スラブＳＢの長辺方向の上端筋９Ａと下端筋９Ｂを、又は上端筋９Ａのみを袖壁５内に延出して両者を剛構造一体化すれば、バルコニー床スラブＳＢの負荷応力の一部は、袖壁５で負担出来てバルコニーの変位が抑制出来るため、袖壁５の袖壁間中心間距離ＬＡの小さなバルコニーＢにあっては、単本形態の連結筋６の採用も可能となり、袖壁の壁間中心間距離ＬＡの大きなバルコニー床スラブにあっては、袖壁５へのバルコニー床スラブＳＢからの応力負担も大きくなるため、袖壁５にも、支持強力の大きなＺ筋１を採用すれば良い。
そして、バルコニーＢの側端Ｂｓと、袖壁５との剛構造一体化は、両者の隣接部でのコンクリートひび割れを抑制する効果も生ずる。
【００１６】
この場合、バルコニー床スラブＳＢの側端Ｂｓの袖壁５への支承は、床スラブＳＢの、長辺方向上端筋９Ａのみを袖壁５内で定着しても良いが、上端筋９Ａも下端筋９Ｂも、共に袖壁５内に定着すれば、バルコニー床スラブＳＢの袖壁５との定着がより強固となる。
そして、床スラブＳＢの短辺方向の、上端筋９Ｃ及び下端筋９Ｄは、図３（Ｂ），（Ｃ）の如く、床スラブＳＢの先端のパラペットＰ内に定着し、補助筋９Ｅを付加して強化し、パラペットＰ内の梁主筋９Ｆを袖壁５内に定着すれば良い。
この場合、パラペットＰ内に肋筋９Ｇを配置すれば、パラペットＰの梁機能が向上し、バルコニー床スラブＳＢの袖壁５による支承がより強固に達成出来る。
【００１７】
従って、本発明の外壁構造にあっては、鉄筋コンクリート外壁Ｗから突出付設した鉄筋コンクリートの、バルコニー床スラブＳＢ及び袖壁５が、共に、複合パネル２の断熱層２Ｂでコンクリート建物躯体ＣＦと熱遮断されて、支持用連結筋１，６のみで片持ち支持したものであるため、バルコニー床スラブＳＢ及び袖壁５からコンクリート躯体ＣＦへの熱橋ルートは、外気→バルコニー床スラブ及び袖壁のコンクリート→連結筋→コンクリート躯体→居室内、のルートのみとなり、コンクリート躯体ＣＦ内への外部からの熱橋作用が顕著に抑制出来る。
そして、コンクリート外壁Ｗを外断熱で被覆している複合パネル２が、外気のドラフト通気を可能とする条溝Ｇを備えているため、成形セメント板（外装下地材）２Ａの表面に付設する外装材の物性に関係なく、即ち、付設外装材の制約を受けることなく、内部結露が抑制出来、日射によるヒートストレスも抑制出来、省エネルギーで、住環境の優れた、高品質コンクリート建物の提供を可能とする。
【００１８】
しかも、バルコニー床スラブＳＢ及びコンクリート袖壁５を支持する連結筋１，６は、不燃断熱材４Ｂ，４０Ｂで保護して複合パネル２に配置したため、火災時に、外壁の複合パネル２の被覆断熱層２Ｂが燃焼しても、連結筋１，６は、不燃断熱材によって火災劣下が抑制出来、バルコニーＢ及び袖壁５は耐火性となる。
また、鉄筋コンクリートのバルコニー床スラブＳＢ及び袖壁５は、水平突出物としてのバルコニー床スラブＳＢと、垂直突出物としての袖壁５との、前方開放箱形状（方形筒形状、ハニカム形状）の構築物を、複合パネル２の断熱層２Ｂで熱的に遮断してコンクリート建物躯体ＣＦに付設した形態となるため、バルコニー床スラブＳＢの大きな負荷応力が、片持ち支持の連結筋と、基礎Ｆで支持される袖壁５との分配支持となり、バルコニー床スラブＳＢ及び袖壁５は、設計面、施工面で自由度が大となり、建築物としての設計の自由度が大となる。
【００１９】
また、外壁構造の発明にあっては、図１に示す如く、コンクリート躯体ＣＦから水平に突出する庇スラブＲＢの基端Ｂｂは複合パネル２の断熱層２Ｂで、屋上パラペットＰ´の基端Ｐ´ｂは断熱層３Ｂ´で、コンクリート躯体ＣＦと熱的に遮断し、連結筋１，６のみで、庇スラブＲＢ及び屋上パラペットＰ´をコンクリート躯体ＣＦに対して片持ち支持形態で突出付設するのが好ましい。
この場合、図２（Ｂ），（Ｃ）に示す如く、庇スラブＲＢは、バルコニー床スラブＳＢ同様に、複合パネル２の型枠組みで構築すれば良く、また屋上パラペットＰ´は、図２（Ｃ）の如く、袖壁５用の複合パネル２の上端に、屋上パラペットＰ´の断面形状に対応する、必要連結筋６を貫通装着した断熱層３Ｂ´を載置接続配置して、型枠組みで構築すれば良い。
この場合、断熱層３Ｂ´は、複合パネル２の断熱層２Ｂと同材質、且つ同厚とすれば良い。
そして、連結筋６の貫通装着は、断熱層３Ｂ´への、直接貫通でも、連結筋６を備えた不燃支持ブロック４０を、断熱層３Ｂ´に装着しても良い。
【００２０】
尚、庇スラブＲＢは、寒冷地での積雪負荷対策としては、構造計算に基づいて連結筋としてＺ筋１を採用し、且つ、バルコニー床スラブＳＢでの配置Ｚ筋１よりも、配置間隔を小として支持強度を大とすれば良い。
従って、得られる外壁構造は、屋上床スラブＲＳから水平に突出する庇スラブＲＢ及びパラペットＰ´を含め、コンクリート躯体ＣＦのコンクリート外壁Ｗ面から突出するコンクリート構造物の全てが、コンクリート建物躯体ＣＦとは、断熱層を介して熱的に遮断された構造部となり、コンクリート建物躯体ＣＦ内への外部からの熱橋作用は極端に低減出来る。
【００２１】
また、外壁構造の発明にあっては、複合パネル２は、断熱層２Ｂが、成形セメント板２Ａに対して、上端では大段差ｄ４突出し、下端では小段差ｄ４´入り込んで、上下相欠け接続すると共に、上下接続部の成形セメント板２Ａの板状部Ｐｄ間をゴム板ＰＲで閉止し、且つ、不燃断熱材４Ｂ，４０Ｂが、条溝Ｇの通気機能を保証する形態で複合パネル２内に嵌着しているのが好ましい。
この場合、図６（Ｃ）、図７（Ｂ）に示す如く、不燃支持ブロック４の不燃断熱材４Ｂ、及び不燃支持ブロック４０の不燃断熱材４０Ｂは、成形セメント板２Ａの肉厚部２Ｃ位置に嵌着すれば、両側の条溝Ｇへの干渉を少なくした嵌着となり、条溝Ｇの通気機能は保証出来る。
【００２２】
そして、複合パネル２の上下接続は、図１０（Ａ）に示す如く、相欠け接続となり、大段差ｄ４（標準：２０mm）と小段差ｄ４´（標準：１７mm）との差（標準：３mm）で生ずる間隔のうちの、上下パネルの成形セメント板２Ａの各板状部Ｐｄ間、即ち、上下セメント板２Ａ間、の前面をゴム板ＰＲの挟着で閉止するため、上下パネル接続部での条溝Ｇへの外気の流入が阻止出来て、外壁複合パネル２の下端（腰水切）から上端（笠木）までの貫流通気性が保証出来る。
そして、ゴム板ＰＲと同厚の水平当接片７Ｆを備えた十字ジョイント７による上下セメント板２Ａの接続が可能となる。
【００２３】
従って、パネル２の上下接続は、条溝Ｇによる腰水切から笠木までの、ドラフト上昇空気流の貫流機能が保証出来ると共に、十字ジョイント７の採用による上下パネルの接続の作業性も向上する。
しかも、上下パネルの接続部から、例え雨水が浸入しても、上下パネルの断熱層２Ｂ衝合界面まで上昇することなく、居住部床スラブＳＡ側への雨水の浸入が阻止出来る。
また、不燃支持ブロック４及び４０は、不燃断熱材４Ｂ、及び４０Ｂが、例えば図７（Ｂ）、図８（Ｂ）の如く、成形セメント板２Ａの条溝Ｇの通気機能を保証する形態での嵌着であるため、Ｚ筋１や連結筋６の配置位置でも、外壁Ｗの均斉な通気性は保証出来る。
【００２４】
また、外壁構造の発明にあっては、不燃支持ブロック４の不燃断熱材４Ｂ、及び不燃支持ブロック４０の不燃断熱材４０Ｂは、共に、複合パネル２の嵌着用切欠Ｈ１，Ｈ４内に、空密的に嵌合保持したのが好ましい。
この場合、不燃支持ブロック４にあっては、図４（Ａ）に示す如く、不燃断熱材４Ｂの両側面４Ｓに隙間追従シート１２Ａを貼着し、底面に接着テープ１２Ｂを貼着して、図７（Ｂ）の如く、嵌着用切欠Ｈ１に嵌着すれば、隙間追従シート１２Ａの経時膨張によって空密嵌合止着出来、不燃支持ブロック４０にあっては、図５（Ａ）に示す如く、不燃断熱材４０Ｂの、両側面４０Ｓ及び上面４０Ｕに、隙間追従シート１２Ａを捲回貼着し、底面に接着テープ１２Ｂを貼着して、図８（Ｂ）の如く、嵌着用切欠Ｈ４に挿入嵌合すれば、隙間追従シート１２Ａの経時膨張によって空密嵌合止着出来る。
尚、隙間追従シート１２Ａとしては、積水化学工業（株）のソフトロン（商品名）、若しくは、イルブルック社（ドイツ）のイルモンド（商品名）を採用すれば良い。
【００２５】
そして、嵌着用切欠Ｈ１，Ｈ４に対し、不燃断熱材４Ｂ，４０Ｂの対応辺寸法を若干小寸（標準１０mm小寸）に形成して、緩嵌合可能としておき、標準２mm厚の隙間追従シート１２Ａを貼着すれば、不燃断熱材４Ｂ，４０Ｂは、嵌入作業容易、且つ隙間追従シート１２Ａの膨張によって１〜２時間で空密嵌着となる。
従って、バルコニー床スラブＳＢの基端Ｂｂ、及びコンクリート袖壁５の基端５ｂを熱遮断した複合パネル２の断熱層２Ｂは、連結筋１，６を保持した不燃断熱材４Ｂ，４０Ｂを嵌め込んではいるが、不燃断熱材４Ｂ，４０Ｂが嵌着用切欠Ｈ１，Ｈ４に空密嵌着であるため、嵌着用切欠Ｈ１，Ｈ４内の空気は、密閉空気断熱層となって、断熱層２Ｂの断熱機能損失を生ずることはない。
【００２６】
また、バルコニー床スラブＳＢを支持する不燃支持ブロック４用の嵌着用切欠Ｈ１、及び袖壁５を支持する不燃支持ブロック４０用の嵌着用切欠Ｈ４は、成形セメント板２Ａの肉厚部２Ｃ位置に配置し、嵌着用切欠Ｈ１，Ｈ４に嵌着した不燃断熱材４Ｂ，４０Ｂの両側面４Ｓ，４０Ｓの通気用凹溝Ｇ４が、図７（Ｂ）、図８（Ｂ）に示す如く、成形セメント板２Ａの条溝Ｇの開放側面と対向しているのが好ましい。
本発明の外壁構造は、複合パネル２の被覆による通気性外断熱壁であるため、不燃支持ブロック４及び４０の複合パネル２への嵌入によって、条溝Ｇが潰れることは避けねばならない。
【００２７】
しかし、標準複合パネル２の成形セメント板２Ａは、図６（Ｂ）に示す如く、厚さＴ２が２５mmであって、肉厚部２Ｃ間に、深さＧｄが１３mm、幅ａ１が３０mmの条溝Ｇが肉厚部２Ｃ間に散在し、中央の肉厚部２Ｃの幅ａ４が４０mmであり、嵌着用切欠Ｈ１及びＨ４の幅Ｗ４（標準：６０mm）を中央肉厚部２Ｃに形成しても、嵌着用切欠Ｈ１及びＨ４は、両側の条溝Ｇを一部切欠することとなる。
そして、嵌着用切欠Ｈ１及びＨ４は、複合パネル２に対しては、不燃断熱材４Ｂ及び４０Ｂ嵌合用の最小限の切開であるため、複合パネル２の切欠欠損が少なく、バルコニー床スラブＳＢ及び袖壁５のコンクリート打設によっても、複合パネル２の断熱層２Ｂは、セメント板２Ａで保護されて断熱機能劣下が抑制出来る。
【００２８】
従って、図４、図５に示す如く、不燃支持ブロック４の不燃断熱材４Ｂの、条溝Ｇの対向位置の両側面４Ｓにも、不燃支持ブロック４０の不燃断熱材４０Ｂの、条溝Ｇの対向位置の両側面４０Ｓにも、凹溝Ｇ４を縦設しておき、嵌着用切欠Ｈ１，Ｈ４に不燃断熱材４Ｂ，４０Ｂを整合嵌着すれば、不燃断熱材４Ｂ，４０Ｂの凹溝Ｇ４は、嵌着用切欠Ｈ１及びＨ４で一部切開された、両側の成形セメント板条溝Ｇと対向連通し、条溝Ｇを幅方向に長寸化して、本来の通気機能を発揮する。
即ち、市販の標準サイズのＤＥＣＦパネル（三菱マテリアル建材（株）、商品名）を採用して、必要幅（Ｗ４）の嵌着用切欠を切開しても、条溝Ｇの通気機能を喪失することなく、不燃支持ブロック４、及び不燃支持ブロック４０の複合パネル２内への嵌着が可能となり、バルコニー床スラブＳＢ及び袖壁５を片持ち支持形態で突出した複合パネルは、本来の通気機能を発揮する。
【００２９】
また、不燃支持ブロック４は、図４（Ｂ）に示す如く、Ｚ上端筋１ＵとＺ下端筋１Ｄとを、中央の水平上辺部１Ｕ´、両側の傾斜降下する中間傾斜部１Ｓ及び両側の水平下辺部１Ｄ´から成る台形Ｚトラス筋１Ｍで、上下方向に応力中心距離Ｌ１５を保って一体化固着したＺ筋１を、不燃断熱材４Ｂで空密的に固着保持しているのが好ましい。
この場合、Ｚトラス筋１Ｍの中間傾斜部１Ｓは、傾斜角θが４５°とするのが、Ｚ筋１の引張応力（Ｚ上端筋対応）と圧縮応力（Ｚ下端筋対応）との作用界面の剪断応力（４５°傾斜面作用）に有効対応出来るため、好ましい。
また、Ｚ筋１の、不燃断熱材４Ｂでの空密的固着保持は、図４（Ｂ）に示す如く、Ｚ筋１に隙間追従シート１２Ａを巻き付けて不燃断熱材４Ｂの嵌合溝Ｈ２，Ｈ２´，Ｈ３に嵌合一体化すれば良い。
【００３０】
従って、Ｚ筋１は、Ｚ上端筋１ＵとＺ下端筋１Ｄとが、上下に必要応力中心距離Ｌ１５（標準：９２mm）を保って一体化しているため、引張り応力用の上端筋と圧縮応力用の下端筋とを、別個独立的に配置する場合に比べて、遥かに大きな支持力（構造計算上：３．６４倍）を発揮し、例えば、Ｚ上端筋１Ｕ及びＺ下端筋１Ｄが２２mm径、Ｚトラス筋１Ｍが１６mm径の実施例Ｚ筋（図４（Ｂ））を用いれば、Ｚ筋１の配置間隔は、袖壁中心間距離ＬＡが３５００mm〜７０００mmのバルコニー床スラブでは、計算上１０００mm間隔に１本と、少ない本数での、大間隔配置と出来、不燃支持ブロック４の複合パネル断熱層２Ｂへの嵌合作業、バルコニー床スラブ型枠及び袖壁型枠構築時の、不燃断熱材４ＢからのＺ筋突出部ＡＰ，ＢＰの位置決め、及び配筋作業が簡便、且つ容易となる。
そして、不燃断熱材４Ｂは、Ｚ筋１を嵌合溝に貫通していても、嵌合溝の空気の通気が抑制されて、断熱機能損失は生じない。
しかも、不燃支持ブロック４は、工場生産品となるため、品質保証された、均質品として建築現場に供給出来、バルコニーや袖壁の、施工業者の相違による、構造上のバラツキ、及び安全性のバラツキが防止出来る。
【００３１】
また、連結筋１、及び／又は、連結筋６は、図２（Ａ）に示す如く、コンクリート躯体ＣＦ内固着用の突出部ＡＰが屈曲してコンクリート躯体ＣＦ内で固定しているのが好ましい。
この場合、突出部ＡＰは、側方への屈曲でも、下方への屈曲でも良く、屈曲角は９０°が好ましい。
そして、突出部ＡＰを屈曲させれば、屈曲突出部ＡＰのコンクリート躯体ＣＦ内への配置が、図２（Ａ）の如く、外壁Ｗの厚さＴＷ（標準：１８０mm）内でも可能となる。
【００３２】
従って、バルコニー床スラブＳＢは、居住部床スラブＳＡと段差を保つ形態、即ち、直線延伸した突出部ＡＰが居住部床スラブＳＡ内で固定出来ない状態でも突出付設が可能となり、コンクリート袖壁５も、図２（Ａ）の如く、外壁Ｗの適所からの付設が可能となり、バルコニー床スラブＳＢ及びコンクリート袖壁５の突設位置が自在となり、設計の自由度が向上する。
【００３３】
また、外壁の構築方法の発明は、発泡プラスチック系断熱層２Ｂに、通気用条溝Ｇを備えた成形セメント板２Ａを層着一体化した通気性の複合パネル２を用いて、一般壁部にあっては、該複合パネル２で外側壁型枠を形成し、バルコニー床スラブＳＢ突出壁部にあっては、該複合パネル２に、上端から、バルコニー床スラブＳＢの基端と干渉する高さ４ｈに亘る嵌着用切欠Ｈ１を形成して外側壁型枠とし、複合パネル２の嵌着用切欠Ｈ１には、Ｚ上端筋１Ｕ及びＺ下端筋１Ｄを、台形Ｚトラス筋１Ｍで上下に中心間距離Ｌ１５を保って一体化したＺ筋１を、不燃断熱材４Ｂで貫通形態に保持した不燃支持ブロック４を嵌合止着して、Ｚ筋１の、一方の突出部ＡＰをコンクリート躯体側型枠内に、他方の突出部ＢＰをバルコニー床スラブ型枠内に配置して慣用の型枠を形成し、袖壁５の突出壁部にあっては、嵌着用切欠Ｈ４を配置した複合パネル２を外側壁型枠とし、嵌着用切欠Ｈ４には、不燃断熱材４０Ｂに単本連結筋６を貫通保持した不燃支持ブロック４０を嵌合止着して、単本連結筋６の、一方の突出部ＡＰをコンクリート躯体型枠内に、他方の突出部ＢＰを袖壁型枠内に配置して慣用の袖壁型枠を形成すると共に、バルコニー床スラブＳＢ型枠内の長手方向の上端筋９Ａを袖壁型枠内に定着し、次いで、各型枠内にコンクリート打設して、コンクリート外壁Ｗから、バルコニー床スラブＳＢ及び袖壁５を突出形成するものである。
【００３４】
この場合、バルコニー床スラブＳＢの袖壁５への定着は、少なくとも、バルコニー床スラブ型枠内の長手方向上端筋９Ａは、袖壁型枠内に定着すれば良いが、典型的には、上端筋９Ａ及び下端筋９Ｂを定着する。
また、一般壁用の複合パネル２は、典型的には、図６に示す如く、断熱層２Ｂは、厚さＴ３が７５mm、幅ＢＷが５００mm、高さ１ｈが階高（標準：２７００mm）のＪＩＳＡ９５１１の押出法ポリスチレンフォーム板であり、外装下地材（成形セメント板）２Ａは、厚さＴ２が２５mm、幅ＡＷが４９０mm、高さＡｈが階高１ｈ−３mmの２６９７mmで、図６（Ｃ）の如く、少なくとも、両端の断面台形条溝Ｇを含む、深さＧｄが１３mm、幅ａ１が３０mmの条溝Ｇ群を、層着面２Ｓに散在縦設したＤＥＣＦパネル（三菱マテリアル建材（株）、商品名）であり、断熱層２Ｂと外装下地材２Ａとは、図６（Ａ），（Ｂ）の如く、断熱層２Ｂが、成形セメント板２Ａに対し、下端ではｄ４´（１７mm）入り込み、上端ではｄ４（２０mm）突出し、右側２Ｒでｄ２（１０mm）入り込み、左側２Ｌでｄ３（２０mm）突出した形態の層着したものである。
【００３５】
また、バルコニー床スラブ構築用の複合パネル２は、図６（Ｂ）に示す如く、一般壁用の複合パネル２の上端に、嵌着用切欠Ｈ１のみを形成したものであって、典型的には、パネル２の上部からバルコニー床スラブＳＢの下面Ｓｄに亘る深さ４ｈ（標準：２００mm）で幅Ｗ４が６０mmの嵌着用切欠Ｈ１を、図６（Ｃ）に示す如く、成形セメント板２Ａの中央の、幅ａ４（標準：４０mm）の肉厚部２Ｃに切開形成したものである。
また、Ｚ筋１は、図４（Ｂ）に示す如く、Ｚ上端筋１ＵとＺ下端筋１Ｄとを、台形Ｚトラス筋１Ｍで、十分な中心間距離Ｌ１５を保って一体化したトラス構造体とし、支持強度が大であって、大間隔（標準：５００mm）配置可能なものである。
【００３６】
また、袖壁突出部に配置する複合パネル２は、例えば、図８（Ａ）に示す如く、袖壁５の突出位置、即ち、袖壁基端５ｂの当接域、の上下適所に嵌着用切欠Ｈ４を開口したものであり、典型的には、嵌着用切欠Ｈ４は、上方の床スラブＳＢの下面ＳｄからＬ５（標準：１５０mm）の位置と、下端の床スラブＳＢの上面ＳｆからＬ５（標準：１５０mm）の位置の上下２ヶ所に配置する。
そして、本発明の構築方法にあっては、工場で準備した、一般壁用の複合パネル２と、工場で嵌着用切欠Ｈ１及び嵌着用切欠Ｈ４を切開加工した複合パネル２を、慣用の型枠組みで外壁の外側型枠として使用し、工場生産品である不燃支持ブロック４及び不燃支持ブロック４０を、立設した複合パネル２の嵌着用切欠Ｈ１、及び嵌着用切欠Ｈ４に嵌着すれば、Ｚ筋１及び連結筋６の配置が出来、バルコニー床スラブ型枠、袖壁型枠及びコンクリート躯体側型枠内に、個々に、自己完結形態に配筋作業をし、バルコニー床スラブＳＢの長手方向上端筋９Ａ、及び長手方向下端筋９Ｂを袖壁型枠内に定着配筋すれば、各型枠は形成出来る。
【００３７】
そして、各型枠内へ慣用のコンクリート打設すれば、バルコニー床スラブＳＢは、コンクリート外壁Ｗに対し、複合パネル２の断熱層２Ｂで熱遮断されて、Ｚ筋１のみによる片持ち支持形態に、袖壁５も、コンクリート外壁Ｗに対し、複合パネル２の断熱層２Ｂで熱遮断されて、連結筋６のみによる片持ち支持形態に、且つ、バルコニー床スラブＳＢの側縁Ｂｓは袖壁５に剛構造連結し、袖壁５自体は、垂直応力を基礎Ｆに伝達負荷させる形態に構築出来る。
そして、強大な支持力を要するバルコニー床スラブＳＢにあっては、Ｚ上端筋１ＵとＺ下端筋１Ｄとを、中心間距離Ｌ１５（標準：９２mm）を保って、台形Ｚトラス筋１Ｍでトラス構造筋とした、支持力の強大なＺ筋１を採用したため、Ｚ筋１はバルコニー床スラブＳＢ内で大間隔（標準：５００mm）、即ち、複合パネル１枚当りＺ筋１は１本の配置が可能となり、型枠組み、配筋作業も従来例１より作業性が格段に向上する。
【００３８】
従って、本発明の構築方法によれば、工場生産品としての、均質、且つ信頼性の有る、不燃支持ブロック４及び不燃支持ブロック４０の、慣用の構築方法への単純な組み込み作業によって、作業性良く施工出来、請求項１の新規、且つ高品質の外壁構造が合理的に実施出来る。
そして、各複合パネル２は、左右接続及び上下接続が、相欠け接続であるため、断熱層２Ｂ相互の衝合当接による接続作業が容易であり、型枠組み時のパネル２の上下接続は、断熱層２Ｂが上方に突出した形態での、セメント板２Ａ間に隙間を生じる相欠け接続となるため、上下パネル２のセメント板２Ａ間に、ゴム板ＰＲ等の弾性シートの延展によって、上下接続部での、条溝Ｇ群への外気の流入が阻止出来て、外壁の下端から上端へのドラフト上昇気流が保証出来、上下パネルの接続は、図１０（Ａ）の如く、パネル両端の断面台形条溝Ｇへの十字ジョイント７の採用によって容易となる。
そして、例え、上下接続部から雨水が浸入しても、断熱層２Ｂの上下衝合界面への到達が阻止出来、居住部側への雨水浸入は阻止出来る。
【００３９】
また、複合パネル２に配置する嵌着用切欠Ｈ１，Ｈ４は、成形セメント板２Ａの肉厚部２Ｃの位置で複合パネル２に形成し、不燃支持ブロック４，４０の不燃断熱材４Ｂ，４０Ｂを、共に、複合パネル厚Ｔ１と等厚で準備し、不燃断熱材４Ｂ，４０Ｂには、成形セメント板２Ａの条溝Ｇ対向側面に凹溝Ｇ４を形成して、不燃支持ブロック４，４０を複合パネル２に整合配置するのが好ましい。
標準パネル２にあっては、肉厚部２Ｃの幅は、中央部の幅ａ４でも４０mmであり、その他の肉厚部２Ｃは中央部より若干（２〜４mm）狭い。
従って、成形セメント板２Ａの肉厚部２Ｃ位置に嵌着用切欠Ｈ１，Ｈ４を切開すれば、嵌着用切欠Ｈ１，Ｈ４の両側の条溝Ｇの切断短寸化することとなる。
しかし、この場合、不燃断熱材４Ｂ，４０Ｂの側面には、図４、図５に示す如く、凹溝Ｇ４を配置するため、不燃支持ブロック４，４０を複合パネル２の嵌着用切欠Ｈ１，Ｈ４に嵌合配置すれば、該凹溝Ｇ４は、セメント板２Ａの条溝Ｇと整合して、両側の条溝Ｇを長寸化し、複合パネル２は、不燃支持ブロック４，４０を嵌着配置しても、条溝Ｇによるドラフト通気機能が保証される。
そして、各不燃断熱材４Ｂ，４０Ｂは、パネル厚Ｔ１と同厚であるため、複合パネルの嵌着用切欠Ｈ１，Ｈ４への整合配置の作業性も良い。
従って、不燃断熱材４Ｂ，４０Ｂの側面に凹溝Ｇ４を形成することにより、複合パネル２に対する嵌着用切欠Ｈ１，Ｈ４の切欠加工は、成形セメント板２Ａの肉厚部２Ｃ位置であれば可能となり、複合パネル２に対する不燃支持ブロック４，４０の配置の自由度が生じ、外壁Ｗに対する袖壁５の配置位置の自由度が生ずる。
【００４０】
また、構築方法の発明にあっては、不燃支持ブロック４及び不燃支持ブロック４０は、それぞれ、不燃断熱材４Ｂ，４０Ｂの外面４Ｓ，４０Ｓ，４０Ｕに隙間追従シート１２Ａを貼着して、嵌着用切欠Ｈ１，Ｈ４に、空密的に嵌合止着するのが好ましい。
この場合、不燃支持ブロック４は、図６に示す如く、上方の開放した嵌着用切欠Ｈ１への嵌合となるため、両側面４Ｓに隙間追従シート１２Ａを貼着し、下面に接着テープ１２Ｂを貼着すれば良く、不燃支持ブロック４０は、図８に示す如く、複合パネル２の上下適宜位置の穴形状の嵌着用切欠Ｈ４への嵌合となるため、左右側面４０Ｓ及び上面４０Ｕに隙間追従シート１２Ａを貼着し、下面に接着テープ１２Ｂを貼着すれば良い。
また、不燃支持ブロック４，４０の嵌着用切欠Ｈ１，Ｈ４への配置は、複合パネル２の、型枠としての立設状態下での施工でも、立設配置前の準備段階での施工でも良く、作業性によって選択実施すれば良い。
【００４１】
また、不燃断熱材４Ｂ，４０Ｂの幅、高さの、嵌着用切欠Ｈ１，Ｈ４のそれに対する寸法は小寸（標準：１０mm小寸）とし、標準２mm厚の隙間追従シート１２Ａを貼着すれば、不燃断熱材４Ｂ，４０Ｂの各嵌着用切欠Ｈ１，Ｈ４内への整合配置作業が、緩嵌合で容易であり、隙間追従シート１２Ａの経時膨張によって、不燃断熱材４Ｂ，４０Ｂは空密嵌合止着となる。
そして、不燃断熱材４Ｂ，４０Ｂが嵌着用切欠Ｈ１，Ｈ４に空密嵌合することにより、不燃断熱材４Ｂ，４０Ｂと、複合パネル断熱層２Ｂ間の隙間の空気も、密閉形態の空気断熱層となり、不燃支持ブロック４，４０の嵌め込みによる断熱層２Ｂの断熱機能低下は避けられる。
【００４２】
また、外壁の構築方法の発明にあっては、複合パネル２の上下接続は、図１０（Ｂ）の如く、上下通気溝Ｇ７を備えた垂直片７Ｗと、中間の左右水平当接片７Ｆとを備えた十字ジョイント７を用いて、垂直片７Ｗを上下の条溝Ｇに嵌入し、水平当接片７Ｆを上下パネルのセメント板肉厚部２Ｃで挟着し、且つ、成形セメント板２Ａの板状部Ｐｄ上には、水平当接片７Ｆと等厚のゴム板ＰＲを挟着して実施するのが好ましい。
この場合、十字ジョイント７は、上方及び下方の垂直片７Ｗの断面形状が、嵌入対象条溝Ｇの断面（台形断面）と近似し、水平当接片７Ｆは、肉厚３mmで、前後方向幅を垂直片７Ｗと同寸（標準：１１．８mm）、左右長さを、左右の条溝Ｇを閉止しない長さとすれば良い。
そして、水平当接片７Ｆの厚さ（標準：３mm）は、複合パネル２の、上端の大段差ｄ４（標準：２０mm）と下端の小段差ｄ４´（標準：１７mm）との差（標準：３mm）と整合させれば良い。
【００４３】
従って、十字ジョイント７を、図１に示す如く、複合パネル２の両端部で、図１０（Ａ）に示す如く、下側の垂直片７Ｗを下側複合パネル２の条溝Ｇの上端から嵌入して、水平当接片７Ｆをセメント板上端に載置し、水平当接片７Ｆの前面の、セメント板２Ａの板状部Ｐｄ（標準：１２mm）の全長に、水平当接片７Ｆと同じ厚さのブチルゴム板ＰＲを延展配置しておき、上方の複合パネル２の条溝Ｇの下端開口を、上側垂直片７Ｗに嵌合させることにより、上階壁型枠の形成時の、下側パネル２に対する上側パネル２の上下接続作業が容易に実施出来る。
そして、十字ジョイント７を採用した上下複合パネルの接続部にあっては、十字ジョイント７の上下通気溝Ｇ７によって、十字ジョイント７を嵌入した条溝Ｇでの、ドラフト空気流の上下貫流は保証される。
【発明の効果】
【００４４】
本発明の鉄筋コンクリート造外断熱建物の外壁構造は、外壁Ｗから突出付設した鉄筋コンクリートバルコニーや、鉄筋コンクリート袖壁等が、コンクリート外壁Ｗから複合パネル２の断熱層２Ｂを介して熱遮断された形態で、断熱層２Ｂ内に嵌合した不燃断熱材４Ｂ，４０Ｂで保持された支持連結筋１，６群のみによって片持ち支持されているため、突出付設物（バルコニー、袖壁等）のコンクリートから、建物躯体ＣＦのコンクリート（コンクリート外壁等）への熱橋は、断熱層２Ｂで遮断され、従来の如く、バルコニーや袖壁の突出付設物の外周面を断熱被覆する必要無く、突出付設コンクリート構造物からのコンクリート躯体ＣＦ側への熱橋作用が抑制出来、且つ、支持連結筋１，６の全てが不燃断熱材４Ｂ，４０Ｂで保護されて、火災時の強度劣下が抑制出来た、耐火性で省エネルギーの外壁構造が簡便に得られる。
【００４５】
しかも、コンクリート突出付設物の安全性、及び断熱性を左右する、Ｚ筋１を備えた不燃支持ブロック４、及び連結筋６を備えた不燃支持ブロック４０は、工場生産品であるため、強度上、十分に安全の保証された、均質な製品として準備出来、製品としての保管、搬送も容易であって、広範囲の施工現場への展開が可能となり、不燃支持ブロック４，４０の採用によって、構築されるコンクリート袖壁５やコンクリートバルコニーＢは、耐火性で、安全性の保証されたものとなる。
【００４６】
また、コンクリート建物躯体ＣＦから突出付設するコンクリート構造物は、バルコニー床スラブＳＢが、支持用連結筋１，６（典型的にはＺ筋１）群のみで片持ち支持され、コンクリート袖壁５は、下端が基礎梁ＦＧを介して基礎Ｆに支持され、バルコニー床スラブＳＢと袖壁５とは剛接合であって、袖壁５、基礎梁ＦＧ、及び基礎Ｆ、屋上床スラブＲＳ、バルコニー床スラブＳＢは、方形に接合したハニカム形状となり剛性が高い。
そして、バルコニー床スラブＳＢの負荷応力の一部は袖壁５に伝達し、袖壁５から基礎Ｆに伝達されるため、バルコニー床スラブＳＢを支持する連結筋１の間隔は大幅に拡げることが出来、居住部床スラブＳＡ及びバルコニー床スラブＳＢの配筋作業が容易となる。
【００４７】
また、突出付設するバルコニー床スラブＳＢ及び袖壁５は、袖壁５の中心間距離ＬＡによって、袖壁５の厚さＴ５、袖壁５の配筋形態、連結筋６の形状などが決定出来、構造設計が容易となる。
そして、袖壁５は、基礎梁ＦＧを介して軸方向力を基礎Ｆに伝達し、袖壁５への風圧力は、バルコニー床スラブＳＢと袖壁５との剛接合により、バルコニー床スラブＳＢが負担するので、コンクリート躯体ＣＦと袖壁５とを連結する連結筋１，６は、負担が小さくなり、大間隔での配置が可能となる。
【００４８】
また、本発明の構築方法によれば、鉄筋コンクリート床スラブＳＢ及び鉄筋コンクリート袖壁５の型枠組みは、慣用のコンクリート型枠組みに於いて、外側壁型枠として立設する複合パネル２の適所に配置した嵌着用切欠Ｈ１、及び適所に配置した嵌着用切欠Ｈ４に、不燃支持ブロック４及び不燃支持ブロック４０を嵌合止着するだけであるため、慣用の型枠組みに於ける、不燃支持ブロック４，４０の単純な組み込み作業で実施出来る。
しかも、不燃支持ブロック４のＺ筋１は、強大な支持力を有するため、大間隔での少数本配置と出来、不燃支持ブロック４の型枠組み、及び型枠内での配筋の作業性が良い。
【００４９】
そして、コンクリート床スラブＳＢ及び袖壁５の型枠組みの準備に必要な、複合パネル２への嵌着用切欠Ｈ１、及び嵌着用切欠Ｈ４の開設、Ｚ筋１を貫通保持する不燃支持ブロック４、及び単本連結筋６を保持する不燃支持ブロック４０等は、均質製品の工場生産品として準備出来るため、新規で、耐火性を備え、熱橋が抑制出来、且つ、内部結露も抑制出来る、コンクリート外断熱建物の外壁構造が、合理的に構築出来る。
そして、複合パネル２は、バルコニー床スラブＳＢの基端Ｂｂの当接域にあっても、コンクリート袖壁５の基端５ｂの当接域にあっても、成形セメント板２Ａが、バルコニー床スラブ及び袖壁の打設コンクリートを受け止めて、通気用条溝Ｇを保護しているため、鉄筋コンクリート造外壁Ｗは、バルコニー床スラブＳＢの突出付設部位にあっても、袖壁５の突出付設部位にあっても、通気性の保証されたものとなる。
従って、複合パネル２の表面に付設する外装材、即ち、成形セメント板２Ａの表面に付設する、タイル、塗料等の外装材として、どのような外装材を選択しても、通気性外壁が提供出来る。
【発明を実施するための最良の形態】
【００５０】
〔実施対象外壁構造（図１、図２）〕
図１は、本発明の外壁構造の一部切欠斜視図であり、図２（Ａ）は、図１の外壁構造の横断面図である。
図１、図２（Ａ）に示す如く、コンクリート外壁Ｗは、壁厚（肉厚）ＴＷが１８０mmで、階高１ｈが２７００mmであり、外壁Ｗの外面Ｗｆを、厚さＴ１が１００mmの通気性断熱複合パネル２で被覆したものであり、複合パネル２は、７５mm厚の発泡プラスチック系断熱層２Ｂに、通気用条溝Ｇを備えた２５mm厚の成形セメント板を外装下地材２Ａとして層着した、断熱層２Ｂの幅ＢＷが５００mmの通気性密着型の複合パネルである。
【００５１】
また、水平に突設するバルコニー床スラブＳＢ、及び屋上の庇スラブＲＢは、コンクリート躯体ＣＦの耐力壁としての壁厚ＴＷが１８０mmのコンクリート外壁Ｗを外断熱被覆する複合パネル２の嵌着用切欠Ｈ１に、図７（Ａ）の如く、Ｚ筋１を１本貫通保持した不燃支持ブロック４を嵌合一体化して、各Ｚ筋１を、複合パネル２の１枚に１本、即ち５００mm間隔に配置し、Ｚ筋１のみによって、バルコニー床スラブＳＢは居住部床スラブＳＡから、庇スラブＲＢは屋上床スラブＲＳから延長形態に、片持ち支持で突設したものであって、バルコニー床スラブは、厚さＴＳが１８０mm、奥行きＬＢが１５００mmであり、長辺先端縁には、高さＰｈ及び幅ＰＷが共に１５０mmのパラペットＰを備えたものであり、庇スラブＲＢは、バルコニー床スラブＳＢと均等物であって、図１の如く、長辺先端縁から袖壁５上端に連なる、幅ＰＷが１５０mm、高さＰ´ｈが３００mmの屋上パラペットＰ´を備えたものである。
【００５２】
また、袖壁５は、図２（Ａ）の如く、袖壁５間の中心間距離ＬＡが６０００mmで配置したものであって、厚さＴ５が１８０mmで、階高１ｈ（２７００mm）の無開口袖壁であり、奥行きＬＢがバルコニーＢ及び庇スラブＲＢと同じ１５００mmである。
そして、袖壁５は、基端５ｂを複合パネル２の成形セメント板２Ａに当接した形態で突出したものであり、コンクリート袖壁支持用の単本連結筋６を１本保持した不燃支持ブロック４０を、上方床スラブＳＢの下面ＳｄのＬ５（１５０mm）下方と、下方床スラブＳＢの上面Ｓｆの上方Ｌ５（１５０mm）との、上下２ヶ所で複合パネル２に嵌着して、階高１ｈ（２７００mm）当り２本の単本連結筋６で支持し、図２（Ａ）に示す如く、外側の袖壁５は、耐力壁外壁Ｗから延長形態で、複合パネル２の成形セメント板２Ａから突設し、中間の袖壁５は、外壁Ｗの適宜位置で、複合パネル２の成形セメント板２Ａから突出し、バルコニー床スラブＳＢ、及び庇スラブＲＢの長手方向両側端Ｂｓを袖壁５と剛接合し、且つ、袖壁下端を、基礎梁ＦＧを介して建物基礎Ｆに剛接合したものである。
【００５３】
〔複合パネル２（図６）〕
一般壁用複合パネル２は、バルコニー配置位置に採用する複合パネル２（加工複合パネル２）、及び袖壁配置位置に採用する複合パネル２としても用いるパネルであって、コンクリート外壁Ｗを通気性外断熱被覆するものである。
即ち、一般パネル２は、図６に示す如く、幅ＢＷが５００mm、厚さＴ３が７５mm、高さ１ｈが２７００mm（標準階高）の断熱層２Ｂに、外装下地材としての、幅ＡＷが４９０mm、厚さＴ２が２５mm、高さが２６９７mmの成形セメント板２Ａを、断熱層２Ｂが、上端では２０mm（ｄ４）突出し、下端では１７mm（ｄ４´）入り込み、幅方向には、断熱層２Ｂが、左側２Ｌで２０mm（ｄ３）突出し、右側２Ｒで１０mm（ｄ２）入り込んだ形態に層着一体化したもので、複合パネル２の、上下接続部では、成形セメント板２Ａ間に、３mm（ｄ４−ｄ４´）の隙間が生じ、左右接続部では、１０mm（ｄ３−ｄ２）の縦目地の生じる、上下、左右が相欠け接続可能で、且つ、適所に、セパレータ挿入用孔ｈｓ、及びボルト挿入用孔ｈｂを配置したものである。
【００５４】
そして、断熱層２Ｂとしては、ＪＩＳＡ９５１１の押出法ポリスチレンフォームを採用し、成形セメント板２Ａとしては、慣用の、標準ＤＥＣＦパネル（三菱マテリアル建材（株）、商品名）を採用する。
即ち、成形セメント板２Ａは、図６（Ｃ）に示す如く、層着面２Ｓには、幅ａ１が３０mmで深さＧｄが１３mmの通気用条溝Ｇを、幅ａ２の肉厚部２Ｃと交互に、且つ、幅方向両端には、幅ａ３（４５mm）の肉厚部２Ｃが、中央には幅ａ４（４０mm）の肉厚部２Ｃが位置するように配置したものである。
そして、条溝Ｇ群の配置は、図６（Ｃ）に示す如く、成形セメント板２Ａの両端２ヶ所、及び、幅４０mm（ａ４）の中央肉厚部２Ｃの両側２ヶ所は、断面台形条溝である。
【００５５】
〔バルコニー用複合パネル２（図６）〕
バルコニー床スラブＳＢの構築に用いる複合パネル２は、図６（Ｂ）に示す如く、一般壁用の複合パネル２の上端中央に、嵌着用切欠Ｈ１のみを形成したものである。
即ち、図６（Ｂ），（Ｃ）に示す如く、嵌着用切欠Ｈ１を、成形セメント板２Ａの中央の肉厚部２Ｃ（幅ａ４：４０mm）位置で、パネル上端から、幅Ｗ４（６０mm）で、深さ４ｈが２００mmの矩形長溝として切開して準備する。
【００５６】
〔袖壁用複合パネル２（図８）〕
図８（Ａ）は、袖壁用複合パネル２の使用状態斜視図であり、図８（Ｂ）は、不燃支持ブロック嵌着部の横断面拡大図である。
図８（Ａ）に示す如く、袖壁用複合パネル２は、一般壁用の複合パネル２の袖壁５の基端５ｂの当接域で、上方と下方の２ヶ所に、一辺Ｗ４が６０mmの正方形の嵌着用切欠Ｈ４を開口したものである。
嵌着用切欠Ｈ４の切開位置は、単本連結筋６が、上方床スラブ下面Ｓｄから下方Ｌ５（１５０mm）位置、及び下方床スラブ表面Ｓｆから上方Ｌ５（１５０mm）位置に配置出来るように開口する。
【００５７】
〔Ｚ筋１（図４（Ｂ））〕
Ｚ筋１は、バルコニー床スラブＳＢを片持ち支持する支持棒鋼であって、Ｚ筋１自体は、図４（Ｂ）に示す如く、Ｚ上端筋１Ｕと、Ｚ下端筋１Ｄとを、中央の水平上辺部１Ｕ´、水平上辺部１Ｕ´の両端から角度θが４５°で傾斜降下する両側の中間傾斜部１Ｓ、及び中間傾斜部下端から外方に延出する水平下辺部１Ｄ´とを備えた台形Ｚトラス筋１Ｍにより、応力中心距離（Ｚ上端筋１Ｕの軸心とＺ下端筋１Ｄの軸心間距離）Ｌ１５を保って、水平上辺部１Ｕ´をＺ上端筋１Ｕ下面に、水平下辺部１Ｄ´をＺ下端筋１Ｄ上面に当接して、両側から溶接固着一体化したものである。
【００５８】
Ｚ筋１は、複合パネル２の断熱層２Ｂに嵌合固定する不燃支持ブロック４の連結筋として、鉄筋コンクリートバルコニー床スラブＳＢを片持ち支持形態で支持する部材であり、Ｚ筋１の各構成棒鋼の径、長さ、Ｚ筋１の配置間隔は、バルコニー床スラブＳＢの負荷の構造計算に基づいて決定すれば良い。
即ち、曲げモーメントＭは一般式：Ｍ＝ａｔ×ｆｔ×ｊで表示される。
ここで、ａｔは、引張鉄筋棒鋼の断面積、ｆｔは、鉄筋棒鋼の許容引張応力度、ｊは、曲げ材の応力中心距離である。
上記一般式から明らかな如く、同一径の鉄筋棒鋼を採用しても、棒鋼の応力中心距離の値が支持力向上に極めて重要であるため、本発明にあっては、図４（Ｂ）の如く、Ｚトラス筋１Ｍの中間傾斜部１Ｓが４５°傾斜の条件の下に、且つ、必要コンクリート被り厚を確保して、最大限の応力中心距離Ｌ１５を確保する。
【００５９】
この場合、Ｚ上端筋１ＵとＺ下端筋１Ｄとに、２２mm径の棒鋼を採用し、Ｚ上端筋１ＵとＺ下端筋１Ｄとを、間隔Ｌ１４が７０mmで固着一体化すれば、Ｚ上端筋１ＵとＺ下端筋１Ｄとの応力中心距離Ｌ１５は、９２mm確保出来る。
そして、鉄筋棒鋼の径、長さは、垂直板形態で片持ち支持し、且つ下端を基礎Ｆで支持するコンクリート袖壁５よりも、水平板形態で片持ち支持するため、安全性がより重要なバルコニー床スラブＳＢに適用する性能（変位：１／４００以下）、と経済性から決定するが、図１の奥行きＬＢが１５００mm、厚さＴＳが１８０mmのバルコニー床スラブＳＢを、５００mm間隔のＺ筋１群で支持する場合の、Ｚ筋１の使用棒鋼の径１９mm、２２mm、２５mmを計算比較すれば次の表１のとおりである。
【００６０】
〔表１〕
径１９mm        径２２mm        径２５mm
Ｚ上端筋１Ｕの全長（mm）      １２７６        １２００        １１４４
Ｚ下端筋１Ｄの全長（mm）        ７９３          ７６０          ７２７
重量（kg／個所）                ５．０          ６．３          ７．３
出願時価格（円／個所）          ２９８          ３８１          ４７５
強度の余裕                      ３８％          ５４％          ６４％
バルコニー先端の変位量（mm）    ３．７          ２．７          ２．０
居住部床スラブＳＡと断熱層２Ｂとの当接部で、両側袖壁５間の中央での
変位量（mm）                    ０．３          ０．３          ０．３
変位                        １／３４８      １／４５８      １／５８０
尚、Ｚトラス筋１Ｍは、全て径１６mmの異形棒鋼を、且つ、同一形態で採用する。
【００６１】
従って、本発明の実施例のコンクリート床スラブＳＢは、奥行きＬＢが１５００mmで、床スラブ厚ＴＳが１８０mmの床スラブＳＢ内に、パネル幅ＢＷが５００mmの複合パネル２の１枚にＺ筋１本配置し、各Ｚ筋１群を５００mm間隔配置するため、Ｚ筋１は、図４（Ｂ）に示す如く、径２２mmで長さＬ１０が１２００mmの異形棒鋼をＺ上端筋１Ｕとし、径２２mmで長さＬ１２が７６０mmの異形棒鋼をＺ下端筋１Ｄとし、Ｚトラス筋１Ｍとして、径１６mmの異形棒鋼で、両側の中間傾斜部１Ｓが４５°傾斜、台形形状の高さＬ１４が７０mm、水平上辺部１Ｕ´及び水平下辺部１Ｄ´が各８０mm長のものを用い、Ｚトラス筋１Ｍの水平上辺部１Ｕ´をＺ上端筋１Ｕの下面に当接し、Ｚトラス筋１Ｍの水平下辺部１Ｄ´をＺ下端筋１Ｄの上面に当接して、Ｚ上端筋１ＵとＺ下端筋１Ｄとの間隔Ｌ１４を７０mmとし、各当接部を両側から溶接して固着部ＺＵ，ＺＤ（図１０（Ａ））で一体化し、Ｚ上端筋１ＵとＺ下端筋１Ｄとの間に、９２mmの応力中心距離Ｌ１５を付与したＺ筋１を製作する。
【００６２】
そして、Ｚ筋１の全長全周に亘り、図４（Ｂ）の如く、防蝕性、付着性、断熱性に優れたエポキシ樹脂の耐火コート下塗材（（株）エスケー化研、商品名）を、錆止め塗料１Ｂとして２回塗布し、不燃断熱層４Ｂ内に位置する部位には、更に、ＳＫ耐火コート（（株）エスケー化研、商品名）を耐火塗料１Ａとして塗布する。
このＺ筋１は、図７（Ａ）の如く、幅５００mmのバルコニー用複合パネル２の１枚に１本、即ち、５００mm間隔で配置すれば、実施例のバルコニー床スラブＳＢを、５８％の強度余裕を保って安全に片持ち支持する。
【００６３】
〔不燃支持ブロック４（図４）〕
図４（Ａ）は不燃支持ブロック４の斜視図であり、図４（Ｂ）は不燃支持ブロック４の分解斜視図である。
不燃支持ブロック４は、図４（Ａ）に示す如く、厚さＹ４が複合パネル２の厚さＴ１と同寸の１００mmで、高さＺ４が断熱層２Ｂの嵌着用切欠Ｈ１の深さ４ｈと同寸（標準：２００mm）で、幅は、断熱層２Ｂ対向部がＸ４（５０mm）で、セメント板２Ａ対向部がＸ３（４０mm）の不燃断熱材４Ｂが、Ｚ筋１の１本を貫通保持するものである。
不燃断熱材４Ｂとしては、炭酸カルシウム系発泡板のロックセルボード（フジ化成工業（株）、商品名）を採用する。
【００６４】
即ち、図４（Ｂ）に示す如く、ロックセルボード（商品名）から切り出し、断熱層２Ｂ対向部は幅Ｘ４（５０mm）に、成形セメント板２Ａ対向部は幅Ｘ３（４０mm）に、且つ成形セメント板２Ａの条溝Ｇ対向部には通気用凹溝Ｇ４を切欠したブロック形態の不燃断熱材４Ｂを、幅方向に２分割して２個の面対称不燃断熱材片４Ｂ´とし、各不燃断熱材片４Ｂ´の切断内面４Ｄには、面対称に、Ｚ筋１を構成するＺ上端筋１Ｕ用の嵌合溝Ｈ２、Ｚトラス筋１Ｍの水平上辺部１Ｕ´用の嵌合溝Ｈ２´、及びＺ下端筋１Ｄ用の嵌合溝Ｈ３を、嵌合溝Ｈ２，Ｈ２´，Ｈ３が各嵌入筋（１Ｕ，１Ｄ，１Ｍ）の径より若干（標準：６mm）大きめに形成する。
尚、不燃断熱材片４Ｂ´での嵌合溝Ｈ２，Ｈ２´，Ｈ３の上下方向位置は、バルコニー床スラブ厚ＴＳ（１８０mm）と、Ｚ筋１のコンクリート被り厚から決めれば良く、Ｚ上端筋１Ｕの上端は、不燃断熱材４Ｂの上端より５３mm下方に、Ｚ下端筋１Ｄの下端は、不燃断熱材４Ｂの下端より３３mm上方とすれば良い。
【００６５】
この場合、テーブル式発泡スチロールカッターを用いれば、所望の嵌合溝Ｈ２，Ｈ２´，Ｈ３がスムーズに形成出来る。
次いで、Ｚ筋１の中央部の、不燃断熱材４Ｂ内に位置する前後２ヶ所、即ち、不燃断熱材４Ｂの、前面Ｆ４位置ＬＦ−ＬＦから小間隔ｄ１２（標準：１０mm）を保った位置と、後面Ｂ４位置ＬＢ−ＬＢから小間隔ｄ１２（標準：１０mm）を保った位置に、厚さ２mm、幅２０mmの隙間追従シート１２Ａ（積水化学工業（株）、ソフトロン（商品名））を巻き付け、両方の不燃断熱材片４Ｂ´の内面４Ｄに接着剤を塗布し、両側の不燃断熱材片４Ｂ´の嵌合溝Ｈ２，Ｈ２´，Ｈ３にＺ筋１を嵌合して、分割不燃断熱材片４Ｂ´を１個の不燃断熱材４Ｂに固着一体化する。
【００６６】
尚、隙間追従シート１２Ａは、一体化された不燃断熱材４Ｂ内で、厚さ方向に経時膨張し、Ｚ筋１と嵌合溝Ｈ２，Ｈ２´，Ｈ３との隙間を充填し、Ｚ筋１を保持する。
次いで、不燃断熱材４Ｂの嵌合溝Ｈ２，Ｈ２´，Ｈ３に対し、前面Ｆ４側、及び後面Ｂ４側から耐火シーリング１３を、慣用のシーリングガンを用いて充填することにより、内側の隙間追従シート１２Ａと外側の耐火シーリング１３とでＺ筋１を弾力的に保持し、且つ不燃断熱材４Ｂ内でＺ筋１を空密的に挟着保持した不燃支持ブロックとする。
尚、両側の不燃断熱材片４Ｂ´の接合面間に隙間が生じたら、該隙間にも耐火シーリング１３を充填すれば良い。
【００６７】
次いで、固着一体化した不燃断熱材４Ｂには、図４（Ａ）、及び図７（Ｂ）に示す如く、両側面４Ｓの、前端の、成形セメント板２Ａの板状部Ｐｄ対向位置、断熱層２Ｂ対向部の上端、前端及び後端位置に、保護シートを備えた状態の隙間追従シート１２Ａ（２０mm幅、２mm厚）を貼着し、不燃支持ブロック４の下面にも、保護シートを備えた両面接着テープ１２Ｂを貼着して、工場製品として準備する。
尚、不燃断熱材４Ｂの幅Ｘ３（４０mm）のうち、成形セメント板２Ａ板状部Ｐｄ対向位置では、嵌着用切欠Ｈ１の幅（６０mm）と間隔があるため、必要に応じて、図７（Ｂ）の如く、２mm厚の隙間追従シート１２Ａは２枚重ねとすれば良い。
尚、Ｚ筋１のコンクリート躯体側突出部ＡＰが９０°屈曲したタイプの製作は、Ｚ筋１を不燃断熱材４Ｂに組み込む前に、屈曲加工すれば良い。
【００６８】
〔不燃支持ブロック４０（図５）〕
図５（Ａ）は、不燃支持ブロック４０の全体斜視図であって、図５（Ｂ）は分解斜視図である。
不燃支持ブロック４０は、単本形態の連結筋６を不燃断熱材４０Ｂで貫通形態に保持し、複合パネル２の嵌着用切欠Ｈ４に嵌入固定する部材である。
従って、不燃支持ブロック４０の不燃断熱材４０Ｂは、複合パネル２の嵌着用切欠Ｈ４に埋設しても断熱層２Ｂに断熱欠損を生じない材料、即ち、複合パネル２の、ＪＩＳＡ９５１１の発泡プラスチック系断熱層２Ｂと物性の近似した材質として、不燃支持ブロック４の不燃断熱材４０Ｂと同材料のフジ化成工業（株）製の炭酸カルシウム系発泡板のロックセルボード（商品名）を採用する。
【００６９】
ロックセルボード（商品名）は、切断加工性に優れており、物性は、発泡プラスチック系断熱板と近似で、熱伝導率が０．０３２kcal／ｍｈ℃（発泡プラスチック系は、０．０２２〜０．０３７kcal／ｍｈ℃）、透湿抵抗が２６．３ｍ２ｈmmＨｇ／ｇ（発泡プラスチック系は、５２．５ｍ２ｈmmＨｇ／ｇ）、圧縮強度は１．８kgf／cm２（発泡プラスチック系は、０．５〜２．０kgf／cm２）、重さ（密度）は９０kg／ｍ３（発泡プラスチック系は１５〜４５kg／ｍ３）であり、ロックセルボード（商品名）は断熱層２Ｂ内に一体化埋設しても、不燃性を発揮し、且つ、断熱層２Ｂと一体となって近似の断熱機能を発揮する。
【００７０】
従って、不燃支持ブロック４０は、図５（Ｂ）に示す如く、炭酸カルシウム系発泡板のロックセルボード（フジ化成工業（株）、商品名）から切り出し、高さＺ４０が５０mm、厚さＹ４０がパネル厚Ｔ１と同厚の１００mmで、複合パネル断熱層２Ｂ対向部の幅Ｘ４０を５０mmに、成形セメント板２Ａ対向部の幅Ｘ３０を４０mmに、且つ、条溝Ｇ対向部の両側面には通気用の凹溝Ｇ４を切欠したブロック形態の不燃断熱材４０Ｂを、幅方向に２分割して不燃断熱材片４０Ｂ´とし、該不燃断熱材片４０Ｂ´の対称内面４０Ｄに、９００mm長、１６mm径の１本の連結筋６を嵌めるための、連結筋の径（１６mm）より若干（標準：６mm）大径の嵌合溝Ｈ５を切開し、連結筋６には、Ｚ筋１同様に、図５（Ｂ）の如く、外周全長に亘って、防食性、付着性、断熱性に優れたエポキシ樹脂塗料（耐火コート下塗材：（株）エスケー化研、商品名）を錆止め塗料１Ｂとして塗布し、中央の不燃断熱材４０Ｂ内に位置する部位、即ち不燃断熱材４０Ｂ内に埋没する部位には、更に、耐火塗料１Ａ（ＳＫ耐火コート：（株）エスケー化研、商品名）を塗布する。
【００７１】
次いで、図５（Ｂ）に示す如く、不燃断熱材４０Ｂの前端面Ｆ４０の位置ＬＦ−ＬＦ、及び後端面Ｂ４０の位置ＬＢ−ＬＢから各ｄ１２（１０mm）入り込んだ位置に、幅２０mm、厚さ２mmの隙間追従シート１２Ａを巻いて、両側の不燃断熱材片４０Ｂ´の対称内面４０Ｄに接着剤を塗布し、両側の不燃断熱材片４０Ｂ´を、連結筋６を嵌合溝Ｈ５で挟着した形態に接着一体化し、連結筋６の隙間追従シート１２Ａの経時膨張によって、連結筋６を不燃断熱材４０Ｂ中に固着一体化した後、不燃断熱材４０Ｂの、嵌合溝Ｈ５の外側から隙間追従シート１２Ａまでの空隙に耐火シーリング１３を充填する
【００７２】
そして、図５（Ａ）に示す如く、不燃断熱材４０Ｂは、嵌着用切欠Ｈ１の断熱層２Ｂ対向面の、前端と後端、及び成形セメント板２Ａの板状部対向面で、左右側面４０Ｓ及び上面４０Ｕに、保護シートを備えた状態の隙間追従シート１２Ａ（２０mm幅、２mm厚）を貼着し、下面には、保護シートを備えた両面接着テープ１２Ｂを貼着して、工場製品として準備する。
尚、連結筋６は、コンクリート躯体側の突出部ＡＰを、図９（Ｂ）の如く、９０°側方に屈曲したタイプと、図９（Ａ）の如く、直線で突出したタイプを準備しておき、工場生産品としての不燃支持ブロック４０は、連結筋６の突出部ＡＰが、側方に屈曲した中間袖壁用品と、突出部ＡＰが真直に延出した側壁又は中壁定着用品とを準備しておく。
【００７３】
〔十字ジョイント７（図１０（Ｂ））〕
図１０（Ｂ）は十字ジョイント７の斜視図であり、該十字ジョイント７は、本願発明者が通気型断熱複合パネル接続用に開発した、通気性十字ジョイントであって、特願２００５−２９８８９２号で提案したものを用いる。
即ち、採用する十字ジョイント７は、図１０（Ｂ）に示す如く、複合パネル２のセメント板２Ａ上端の、条溝Ｇ間に載置するための、両側の水平当接片７Ｆと、条溝Ｇに嵌入するための、上下の垂直片７Ｗとから成る、正面視が十字形の、一般肉厚３mmのプラスチック成形品であり、垂直片７Ｗの内部には、上下に貫通する通気溝Ｇ７を備えたものである。
そして、寸法関係は、垂直片７Ｗの突出長は、上側が５０mm、下側が３０mmで、中間に３mm厚の水平当接片７Ｆを左右に延出し、上下高さが８３mm、垂直片７Ｗと、水平当接片７Ｆの奥行き厚さ７Ｔは、共に１１．８mmであり、水平当接片７Ｆは、左右に各２０mm長突出したものである。
そして、垂直片７Ｗの上下端は、条溝Ｇへの嵌入を容易とするために、両側面７Ｓの上下端に、通気溝Ｇ７の機能を喪失しない形態で、テーパー付けしたものである。
【００７４】
〔外壁構造の構築〕
コンクリート外壁Ｗの一般壁部にあっては、複合パネル２を、成形セメント板２Ａを外面にして、両側縁による段差ｄ３（２０mm）とｄ２（１０mm）で断熱層２Ｂの当接による相欠け接続で捨型枠とし、コンクリート壁型枠を慣用の手法で構築する。
また、バルコニーＢ突設部にあっては、図６（Ａ）の複合パネル２、即ち、上端のパネル中央部に、バルコニー床スラブＳＢの基端Ｂｂ面に干渉しない高さ４ｈ（２００mm）の深さで、幅Ｗ４（６０mm）の嵌着用切欠Ｈ１を１ヶ所切開形成した複合パネル２、を捨型枠として、相欠け接続で並列立設してコンクリート壁型枠を構築し、該型枠から外方にバルコニー床スラブ型枠を慣用の手法で水平突設する。
また、袖壁５突出部にあっては、図８（Ａ）の如く、袖壁５の基端５ｂの当接域の上下２ヶ所に嵌着用切欠Ｈ４を開口した複合パネル２を、他の複合パネル（バルコニー用複合パネル）と、左右相欠け接続で捨型枠として立設してコンクリート壁型枠を構築し、該型枠から外方に、袖壁型枠を慣用の手法で垂直突設する。
【００７５】
そして、型枠組みで立設したバルコニー型枠用の複合パネル２の、中央の幅Ｗ４が６０mmの嵌着用切欠Ｈ１には、図４（Ａ）に示す、幅Ｘ４が５０mmで、両側面４Ｓに厚さ２mmの隙間追従シート１２Ａを有する不燃支持ブロック４を、両側面の隙間追従シート１２Ａの養生紙（保護シート）、及び下面の両面接着テープ１２Ｂの養生紙を剥がして、図７（Ａ），（Ｂ）の如く、不燃断熱材４０Ｂを複合パネル２と、前後位置を整合して嵌入着座させる。
また、型枠組みで立設した袖壁型枠用の複合パネル２の上下の嵌着用切欠Ｈ４には、図５（Ａ）に示す、隙間追従シート１２Ａ及び接着テープ１２Ｂを備えた不燃支持ブロック４０を、隙間追従シート１２Ａ及び接着テープ１２Ｂの保護シートを外して、不燃断熱材４０Ｂを複合パネル２と前後位置整合して、即ち、不燃断熱材４０Ｂの前後位置を複合パネル２の前後面と面一として、嵌入着座させる。
【００７６】
次いで、床スラブ型枠部位では、不燃支持ブロック４から、居住部床スラブ型枠内へ突出したＺ筋１の突出部ＡＰ、及びバルコニー床スラブ型枠内へ突出したＺ筋１の突出部ＢＰを、それぞれの型枠内で、慣用の、スペーサー（図示せず）、断熱材用コーン１１Ａ、アンカー１１Ｂで位置保持する。
また、袖壁型枠部位にも、図９の如く、不燃支持ブロック４０から、外壁型枠内に、屈曲形態又は直線形態で配置した連結筋６の突出部ＡＰ、及び袖壁型枠内へ突出した連結筋６の突出部ＢＰを、慣用の、スペーサー、断熱材用コーン、アンカーで位置保持する。
そして、慣用の手法で、外壁型枠内、バルコニー床スラブ型枠内、及び袖壁型枠内には必要鉄筋を配筋し、バルコニー床スラブＳＢ用の、長手方向上端筋９Ａ、長手方向下端筋９Ｂを袖壁型枠内に定着し、Ｚ筋１及び連結筋６の、突出部ＡＰ及びＢＰを、それぞれ、必要に応じて、各型枠内の配筋と針金で緊結する。
【００７７】
尚、袖壁５の型枠組みに際しては、中間の袖壁５の連結筋６は、図２（Ａ）の如く、突出部ＡＰを側方に９０°屈曲した先端に定着板６Ｃを固定し、屈曲突出部ＡＰを外壁Ｗの型枠内に定着する。
また、庇スラブＲＢも、バルコニー床スラブＳＢ同様の手法で型枠組みすれば良く、屋上パラペットＰ´は、基端Ｐ´ｂに断熱層３Ｂ´を配置し、該断熱層３Ｂ´に必要連結筋６を貫通配置すれば良い。
この場合、庇スラブＲＢでは、図２（Ｃ）の如く、Ｚ筋１を、袖壁５のコンクリート表面から１５０mm（Ｌ９）で、間隔３００mm（Ｌ８）で配置すれば、４２０kg／ｍ２（積雪１４００mm）の負荷対抗可能となる。
【００７８】
そして、各コンクリート型枠内への必要鉄筋の配筋、定着が完了した後、各外壁型枠、バルコニー床スラブ型枠及び袖壁型枠にコンクリート打設すれば、図１に示す如く、鉄筋コンクリートのバルコニー床スラブＳＢは、基端Ｂｂが複合パネル２の断熱層２Ｂでコンクリート外壁の外面Ｗｆと熱遮断され、鉄筋コンクリート袖壁５は、基端５ｂが、複合パネル２の断熱層２Ｂでコンクリート外壁の外面Ｗｆと熱遮断されて突出して、下端が基礎Ｆで支持され、コンクリート外壁Ｗの全外面が通気型の複合パネル２の断熱層２Ｂで外断熱被覆され、バルコニー床スラブＳＢの側端Ｂｓ、及びバルコニーパラペット側端Ｐｓがコンクリート袖壁５と剛構造接合した外壁構造が得られる。
【００７９】
また、上階のコンクリートバルコニー床スラブＳＢ及びコンクリート袖壁５の構築は、下階の既設バルコニー床スラブＳＢ及び袖壁５と同様に実施すれば良い。
そして、上階の構築時には、図１０（Ａ）の如く、下階の、バルコニー床スラブＳＢ及び袖壁５と一体化した各複合パネル２の、上端の左右２ヶ所の断面台形条溝Ｇ内に、図１０（Ｂ）に示す、十字ジョイント７の下側垂直片７Ｗを嵌入すると共に、セメント板２Ａ上端の板状部Ｐｄ（幅：１２mm）には、板状部Ｐｄと同幅で、３mm厚のブチルゴム板ＰＲを貼着延展し、上階の複合パネル２は、条溝Ｇの下端を、十字ジョイント７の上側垂直片７Ｗに嵌合して、下階の複合パネル２に位置合せして上下接続する。
【００８０】
得られる外壁構造にあっては、コンクリート外壁Ｗの全表面Ｗｆが通気性複合パネル２で断熱被覆されており、外壁は、外断熱被覆されて、コンクリート躯体ＣＦ内部の水蒸気は、パネル２の通気用条溝Ｇ群で自然放出し、内部結露の発生が無くて、カビやダニの発生の抑制された、しかも、外断熱で省エネルギー、及び耐久性に富む高品質建物となる。
【００８１】
そして、外壁Ｗからのバルコニーや袖壁等の突出物は、バルコニー床スラブＳＢ及び庇スラブＲＢは、基端ＢｂがＺ筋１群のみでコンクリート躯体ＣＦに片持ち支持され、側端Ｂｓが袖壁５と剛接合一体化し、袖壁５は、基端５ｂが連結筋６群のみでコンクリート躯体ＣＦに片持ち支持され、且つ、下端が基礎梁ＦＧを介して基礎Ｆと一体化し、突出付設物は、方形角筒形態（ハニカム形状）の剛構造でコンクリート外壁Ｗと熱遮断形態となるため、コンクリート外壁Ｗからの突出物は、コンクリート建物躯体ＣＦへの熱橋作用が均斉に抑制され、耐火性で、且つ、強固に支持されたものとなる。
従って、本発明によって、鉄筋コンクリート外断熱建物からの鉄筋コンクリートの突出付設物が、熱橋作用の抑制の下に、耐火性で強固な支持形態での構築が可能となり、バルコニー、袖壁等の鉄筋コンクリートの突出付設物が所望に応じて自在に付設可能となる。
【００８２】
〔その他〕
鉄筋コンクリートの建物躯体ＣＦへのコンクリートバルコニー床スラブＳＢ及びコンクリート袖壁５の付設に際しては、バルコニー床スラブＳＢの両側端で支持する両側のコンクリート袖壁５間の中心間距離ＬＡ、袖壁５の厚さＴ５、バルコニー床スラブＳＢの厚さＴＳ、等に基づく構造計算で、袖壁５内の壁縦筋８Ａの単配筋か複配筋か、袖壁支持連結筋の形状、本数、バルコニー床スラブ内のＺ筋１の配置間隔、及び袖壁側表面５ｆ、即ち、バルコニー床スラブ側端Ｂｓ、からバルコニー支持Ｚ筋までの距離を求めれば、安全性の保証された各種サイズのバルコニー床スラブＳＢの構築が可能となる。
各種サイズのバルコニー床スラブＳＢの構築可能条件を試算したところ、次の表２のとおりである。
【００８３】
〔表２〕
袖壁の中心間距離    ３５００超      ５０００超      ６０００超      ７０００超
ＬＡ(mm)        ５０００以下    ６０００以下    ７０００以下  ８００００以下
袖壁５の厚さＴ５    １,２階建１２０                  両端２００
（mm）      ３〜５階建１５０      １８０        中央１８０      １８０   
バルコニー床スラブＳＢ
の厚さＴＳ（mm）      １８０         １８０          ２００        １８０    
袖壁５の配筋形態    シングル（単）  ダブル（複）    ダブル（複）    ダブル（複）
配筋            配筋          配筋            配筋    
連結筋６の      階高に対して      階高に対して      階高に対して  階高に対して
形状・本数     単本形態で２本    単本形態で２本    Ｚ筋１を３本  Ｚ筋１を３本  
バルコニー床スラブＳＢの
Ｚ筋１の配置間隔（mm）  １０００        １０００        １０００        ５００  
袖壁表面５ｆからバルコニー
支持Ｚ筋１までの距離（mm）５００        ５００          ５００        ２５０  
【００８４】
袖壁５の中心間距離ＬＡを、３５００mm超５０００mm以下の場合：
袖壁５の壁厚Ｔ５は、１，２階の建物では１２０mm厚、３階から５階建てでは、１５０mm厚となり、袖壁５内の壁縦筋８Ａの配筋は、シングル（単）配筋で良く、これは、袖壁５が支持する、バルコニー床スラブＳＢの負担が、中心間距離ＬＡが短いために小さくなることからである。
また、袖壁５の中心間距離ＬＡの下限を３５００mmとしたのは、袖壁５は、バルコニーＢの使用上から隣戸との境界に設置するので、それ以下は、考えにくいことからである。
尚、バルコニー床スラブＳＢの厚さＴＳ（１８０mm）、連結筋６の形状、本数、及びバルコニー床スラブＳＢのＺ筋１の配置間隔は実施例と同様で良い。
【００８５】
また、袖壁５の中心間距離ＬＡが６０００mm超、７０００mm以下の場合：
（イ）、両端の袖壁５の壁厚Ｔ５は、２００mmと大きくなるが、これは、両端の袖壁５は、片側でしかバルコニー床スラブＳＢが付設しないので、中心間距離ＬＡが長くなり、バランスが悪くなったことからである。
（ロ）、バルコニー床スラブＳＢの厚さＴＳが２００mmと大きくなるが、これは、中心間距離ＬＡが大きくなったことにより、水平板(バルコニー床スラブ)の断面二次モーメントを大きくして、撓みや曲げに抵抗させるためである。
（ハ）、連結筋に、バルコニー床スラブＳＢを支持するＺ筋１、又は連結筋６を階高１ｈ（２７００mm）内に３本配置して、屋上床スラブＲＳや上方の袖壁５からの軸方向力、及びバルコニー床スラブＳＢの負荷を、Ｚ筋１を介してコンクリート躯体ＣＦに一部伝達させるためであり、袖壁５の中心間距離が大きくなったことによる。
尚、袖壁５内の配筋（ダブル配筋）、バルコニー床スラブＳＢを支持するＺ筋１の間隔は、実施例と同様である。
【００８６】
また、袖壁５の中心間距離ＬＡが７０００mm超、８００００mm以下の場合：
（ニ）、バルコニー床スラブＳＢ支持のＺ筋１の間隔が小さく（半分）なる。
これは、袖壁５の中心間距離ＬＡが大きくなるため、バルコニー床スラブＳＢの負荷の大部分は、袖壁５に伝達せずに、袖壁５の近傍部（略１７００mm）のみを袖壁５に伝達するためである。
（ホ）、連結筋には、単本連結筋６に換えて、バルコニー床スラブＳＢを支持するＺ筋１を採用。
これは、袖壁５の中心間距離ＬＡが大きくなったことによるもので、Ｚ筋１を３本採用して、バルコニー床スラブＳＢの荷重の一部、上方からの軸方向力の一部をコンクリート躯体ＣＦに伝達させるので、基礎梁ＦＧや基礎Ｆの負担は軽減され、断面形状、配筋量は低減されることになる。
尚、袖壁５の中心間距離ＬＡの上限を８００００mmとしたのは、日本建築学会の基準からで、これ以上長い建物は、エキスパンジョイント（建築物などの構造体を物理的に分離させて接合する方法。温度変化や振動による躯体の変化、又は、地盤沈下などによる変化を別々に制御する）を設けて、原則では別構造体とすることからである。
【００８７】
上記表２より、袖壁５の中心間距離ＬＡが６０００mm〜８００００mmであれば、袖壁５支持用の連結筋はＺ筋１が好ましくなり、この場合は、袖壁５用の複合パネル２には、図４（Ａ）に示す不燃支持ブロック４を嵌合すれば良い。
また、実施例では、バルコニー床スラブＳＢを居住部床スラブＳＡから延出形態で突設したが、断熱支持パネル４のＺ筋突出部ＡＰを９０°屈曲してコンクリート外壁Ｗ内に定着することも可能であり、この場合は、バルコニー床スラブＳＢが居住部床スラブＳＡと段差のある場合の対処手段として有効である。
【図面の簡単な説明】
【００８８】
【図１】本発明外壁構造の一部切欠斜視図である。
【図２】本発明の外壁構造の説明図であって、（Ａ）は要部横断面図、（Ｂ）は要部縦断面図、（Ｃ）は（Ｂ）の矢印Ｃ−Ｃ視図である。
【図３】本発明の要部説明図であって、（Ａ）は袖壁の縦断面図、（Ｂ），（Ｃ）は、それぞれパラペットへのバルコニー床スラブ筋の定着形態説明図である。
【図４】本発明バルコニー床スラブに用いる不燃支持ブロック４の説明図であって、（Ａ）は斜視図、（Ｂ）は分解斜視図である。
【図５】本発明の袖壁用複合パネルに用いる不燃支持ブロック４０の説明図であって、（Ａ）は全体斜視図、（Ｂ）は分解斜視図である。
【図６】本発明に用いる複合パネルの説明図であって、（Ａ）は複合パネルの一部切欠側面図、（Ｂ）はバルコニー床スラブ用複合パネルの一部切欠斜視図、（Ｃ）は（Ｂ）の上面図である。
【図７】本発明のバルコニー床スラブ用複合パネルに不燃支持ブロック４を一体化した説明図であって、（Ａ）は一部切欠斜視図、（Ｂ）は（Ａ）の要部横断説明図である。
【図８】本発明の袖壁用複合パネルに不燃支持ブロック４０を一体化した説明図であって、（Ａ）は不燃支持ブロック４０を嵌合した状態の斜視図、（Ｂ）は（Ａ）の要部横断説明図である。
【図９】本発明の袖壁基端部の横断面図であって、（Ａ）は側面外壁から延長形態の袖壁を、（Ｂ）は外壁中間部から突出する袖壁を示す図である。
【図１０】本発明の説明図であって、（Ａ）はバルコニー基端部の要部縦断面図であり、（Ｂ）は複合パネルの上下接続に用いる十字ジョイント７の斜視図である。
【図１１】従来例１の説明図であって、（Ａ）はバルコニー縦断面図、（Ｂ）は鉄筋ユニット正面図、（Ｃ）は鉄筋ユニット平面図である。
【図１２】従来例図であって、（Ａ）は従来例２の横断面図、（Ｂ）は従来例２の縦断面図であり、（Ｃ）は従来例３の横断面図、（Ｄ）は従来例３の縦断面図である。
【符号の説明】
【００８９】
１      Ｚ筋（連結筋）
１Ａ    耐火塗料
１Ｂ    錆止め塗料
１Ｄ    Ｚ下端筋
１Ｄ´  水平下辺部
１Ｍ    台形Ｚトラス筋（Ｚトラス筋）
１Ｓ    中間傾斜部
１Ｕ    Ｚ上端筋
１Ｕ´  水平上辺部
２      複合パネル（通気性断熱複合パネル、パネル）
２Ａ    成形セメント板（セメント板、外装下地材）
２Ｂ，３Ｂ´，５Ｂ    断熱層
２Ｃ    肉厚部
２Ｓ    層着面
４      バルコニー用不燃支持ブロック（不燃支持ブロック）
４Ｂ，４０Ｂ    不燃断熱材
４Ｂ´，４０Ｂ´  不燃断熱材片
４Ｄ，４０Ｄ    対称内面（内面）
４Ｓ，４０Ｓ    不燃断熱材側面（側面、外面）
４０Ｕ  上面（外面）
５      鉄筋コンクリート袖壁（コンクリート袖壁、袖壁）
５ｂ    袖壁基端（基端）
６      単本連結筋（連結筋）
６Ｃ    定着板
７      十字ジョイント
７Ｆ    水平当接片
７Ｓ    側面
７Ｗ    垂直片
８Ａ    壁縦筋（縦筋）
８Ｂ    壁横筋（横筋）
８Ｃ    幅止め筋
９Ａ    長辺方向上端筋
９Ｂ    長辺方向下端筋
９Ｃ    短辺方向上端筋
９Ｄ    短辺方向下端筋
９Ｅ    補助筋
９Ｆ    梁主筋
９Ｇ    肋筋
１２Ａ  隙間追従シート
１２Ｂ  両面接着テープ
１３    耐火シーリング
【００９０】
１６Ａ  シーリング
１６Ｂ  バックアップ材
４０    袖壁用不燃支持ブロック（不燃支持ブロック）
Ａ      居住部 
ＡＰ，ＢＰ    連結筋突出部（突出部）
Ｂ      バルコニー
Ｂｂ    バルコニー基端（基端）
Ｂｓ    バルコニー床スラブ側端（側端）
ＣＦ    コンクリート建物躯体（コンクリート躯体、躯体）
ｄｘ    縦目地
Ｆ      基礎
ＦＧ    基礎梁
Ｇ      通気用条溝（条溝）
Ｇ７    通気溝
Ｇ４    通気用凹溝（凹溝）
Ｈ１，Ｈ４    嵌着用切欠
Ｈ２，Ｈ２´，Ｈ３，Ｈ５  連結筋嵌合溝（嵌合溝）
ｈｂ    ボルト挿入用孔
ｈｓ    セパレータ挿入用孔
ＬＡ    袖壁中心間距離（中心間距離）
Ｌ１５  応力中心距離（中心間距離）
Ｐ，Ｐ´  パラペット
Ｐ´ｂ  パラペット基端
Ｐｄ    板状部
ＰＲ    ゴム板（ブチルゴム板）
ＲＢ    庇スラブ
ＲＳ    屋上床スラブ
ＳＡ    居住部床スラブ
ＳＢ    バルコニー床スラブ
Ｓｄ    バルコニー床スラブ下面（床スラブ下面）
Ｓｆ，Ｓｆ´    コンクリート床上面（床スラブ上面）
Ｗ      コンクリート外壁（外壁）
Ｗｆ    外壁表面（表面）
ＺＤ，ＺＵ  固着部
【図１】
2008291501.tif 000003
【図２】
2008291501.tif 000004
【図３】
2008291501.tif 000005
【図４】
2008291501.tif 000006
【図５】
2008291501.tif 000007
【図６】
2008291501.tif 000008
【図７】
2008291501.tif 000009
【図８】
2008291501.tif 000010
【図９】
2008291501.tif 000011
【図１０】
2008291501.tif 000012
【図１１】
2008291501.tif 000013
【図１２】
2008291501.tif 000014